(57)【要約】  本開示のいくつかの態様は、２．４および５ＧＨｚ帯域中で範囲と遅延拡散とを拡張し、可能性としてはユーザを周波数多重化するための方法および装置に関する。ワイヤレス通信のための装置が提供される。この装置は概して、第１のタイプのデバイスおよび第２のタイプのデバイスによって復号可能な第１のプリアンブルと、第２のタイプのデバイスによって復号可能だが、第１のタイプのデバイスによって復号可能でない第２のプリアンブルと、データとを備えるパケットを生成するように構成された処理システムと、パケットを送信するように構成された送信機と、ここにおいて、第１のプリアンブルは第１のチャネル帯域幅を使って送信され、第２のプリアンブルおよびデータは、第１のチャネル帯域幅の一部分のみを使って送信される、を含む。
2016509808.tif 000002
【特許請求の範囲】
【請求項１】
ワイヤレス通信のための装置であって、
第１のタイプのデバイスおよび第２のタイプのデバイスによって復号可能な第１のプリアンブルと、前記第２のタイプのデバイスによって復号可能だが、前記第１のタイプのデバイスによって復号可能でない第２のプリアンブルと、データとを備えるパケットを生成するように構成された処理システムと、
前記パケットを送信するように構成された送信機と、ここにおいて、前記第１のプリアンブルは第１のチャネル帯域幅を使って送信され、前記第２のプリアンブルおよびデータは、前記第１のチャネル帯域幅の一部分のみを使って送信される、を備える装置。
【請求項２】
前記第２のプリアンブルは、第１のフォーマットの前記第１のプリアンブルと比較して、より大きいチャネル遅延拡散をサポートすることができる第２のフォーマットのものである、請求項１に記載の装置。
【請求項３】
前記第１のプリアンブルは第１のフォーマットのものであり、
前記第２のプリアンブルは、第２のチャネル帯域幅での送信に関連付けられた第２のフォーマットのものであり、ここにおいて、前記第１のチャネル帯域幅の前記一部分は前記第２のチャネル帯域幅よりも大きい、
前記送信機は、前記第２のプリアンブルとデータとをアップクロック方式で送信するようにさらに構成される、請求項１に記載の装置。
【請求項４】
前記第１のチャネル帯域幅の前記一部分は前記第２のチャネル帯域幅の倍数である、請求項３に記載の装置。
【請求項５】
前記処理システムは、前記第２のプリアンブルとデータとを送信するのに使うための、前記第１のチャネル帯域幅内の少なくとも１つのオフセット位置を決定するようにさらに構成される、請求項１に記載の装置。
【請求項６】
前記決定することは、
周波数分割多重方式に基づいて、前記第２のプリアンブルとデータとを第１のタイプのデバイスに送信するための第１のオフセット位置を決定することと、
前記周波数分割多重方式に基づいて、前記第２のプリアンブルとデータとを第２のタイプのデバイスに送信するための第２のオフセット位置を決定することとを備える、請求項５に記載の装置。
【請求項７】
ワイヤレス通信のための装置であって、
第１のタイプのデバイスおよび第２のタイプのデバイスによって復号可能な第１のプリアンブルを備える、第２の装置から送信された第１のパケットを検出し、前記検出に応答して、前記第２のタイプのデバイスによって復号可能だが、前記第１のタイプのデバイスによって復号可能でない第２のプリアンブルと、データとを備える第２のパケットを生成するように構成された処理システムと、
前記第２の装置に前記第２のパケットを送信するように構成された送信機と、ここにおいて、前記第１のプリアンブルは第１のチャネル帯域幅を使って送信され、前記第２のプリアンブルおよびデータは、前記第１のチャネル帯域幅の一部分のみを使って送信される、を備える装置。
【請求項８】
前記処理システムは、前記第１のパケットに基づいて、前記第２のパケットの送信を可能にする前記第２の装置によって媒体が予約されている持続時間を決定するように構成される、請求項７に記載の装置。
【請求項９】
前記第１のパケットは、複数のユーザをターゲットにするマルチユーザ送信を備え、
前記処理システムは、前記装置が、前記ターゲットにされた複数のユーザのうちの１つであると決定するようにさらに構成される、請求項８に記載の装置。
【請求項１０】
前記第１のプリアンブルは第１のフォーマットのものであり、
前記第２のプリアンブルは、第２のチャネル帯域幅での送信に関連付けられた第２のフォーマットのものであり、ここにおいて、前記第１のチャネル帯域幅の前記一部分は前記第２のチャネル帯域幅よりも大きい、
前記送信機は、前記第２のプリアンブルとデータとをアップクロック方式で送信するようにさらに構成される、請求項７に記載の装置。
【請求項１１】
前記第１のチャネル帯域幅の前記一部分は前記第２のチャネル帯域幅の倍数である、請求項１０に記載の装置。
【請求項１２】
前記処理システムは、前記第２のプリアンブルとデータとを送信するのに使うための、前記第１のチャネル帯域幅内のオフセット位置を決定するようにさらに構成される、請求項７に記載の装置。
【請求項１３】
複数のオフセット位置が、異なるデバイスに割り当てられ、
前記オフセット位置を決定することは、前記装置に割り当てられたオフセット位置を決定することを備える、請求項１２に記載の装置。
【請求項１４】
ワイヤレス通信のための方法であって、
第１のタイプのデバイスおよび第２のタイプのデバイスによって復号可能な第１のプリアンブルと、前記第２のタイプのデバイスによって復号可能だが、前記第１のタイプのデバイスによって復号可能でない第２のプリアンブルと、データとを備えるパケットを生成することと、
前記パケットを送信することと、ここにおいて、前記第１のプリアンブルは第１のチャネル帯域幅を使って送信され、前記第２のプリアンブルおよびデータは、前記第１のチャネル帯域幅の一部分のみを使って送信される、を備える方法。
【請求項１５】
前記第２のプリアンブルは、第１のフォーマットの前記第１のプリアンブルと比較して、より大きいチャネル遅延拡散をサポートすることができる第２のフォーマットのものである、請求項１４に記載の方法。
【請求項１６】
前記第１のプリアンブルは第１のフォーマットのものであり、
前記第２のプリアンブルは、第２のチャネル帯域幅での送信に関連付けられた第２のフォーマットのものであり、ここにおいて、前記第１のチャネル帯域幅の前記一部分は前記第２のチャネル帯域幅よりも大きい、
前記方法は、前記第２のプリアンブルとデータとをアップクロック方式で送信することをさらに備える、請求項１４に記載の方法。
【請求項１７】
前記第１のチャネル帯域幅の前記一部分は前記第２のチャネル帯域幅の倍数である、請求項１６に記載の方法。
【請求項１８】
前記第２のプリアンブルとデータとを送信するのに使うための、前記第１のチャネル帯域幅内の少なくとも１つのオフセット位置を決定することをさらに備える、請求項１４に記載の方法。
【請求項１９】
前記決定することは、
周波数分割多重方式に基づいて、前記第２のプリアンブルとデータとを第１のタイプのデバイスに送信するための第１のオフセット位置を決定することと、
前記周波数分割多重方式に基づいて、前記第２のプリアンブルとデータとを第２のタイプのデバイスに送信するための第２のオフセット位置を決定することとを備える、請求項１８に記載の方法。
【請求項２０】
ワイヤレス通信のための方法であって、
第１のタイプのデバイスおよび第２のタイプのデバイスによって復号可能な第１のプリアンブルを備える、第２の装置から送信された第１のパケットを、第１の装置によって検出することと、
前記検出に応答して、前記第２のタイプのデバイスによって復号可能だが、前記第１のタイプのデバイスによって復号可能でない第２のプリアンブルと、データとを備える第２のパケットを生成することと、
前記第２の装置に前記第２のパケットを送信することと、ここにおいて、前記第１のプリアンブルは第１のチャネル帯域幅を使って送信され、前記第２のプリアンブルおよびデータは、前記第１のチャネル帯域幅の一部分のみを使って送信される、を備える方法。
【請求項２１】
前記第１のパケットに基づいて、前記第２のパケットの送信を可能にする前記第２の装置によって媒体が予約されている持続時間を決定することをさらに備える、請求項２０に記載の方法。
【請求項２２】
前記第１のパケットは、複数のユーザをターゲットにするマルチユーザ送信を備え、
前記第１の装置が、前記ターゲットにされた複数のユーザのうちの１つであると決定することをさらに備える、請求項２１に記載の方法。
【請求項２３】
前記第１のプリアンブルは第１のフォーマットのものであり、
前記第２のプリアンブルは、第２のチャネル帯域幅での送信に関連付けられた第２のフォーマットのものであり、ここにおいて、前記第１のチャネル帯域幅の前記一部分は前記第２のチャネル帯域幅よりも大きい、
前記第２のプリアンブルとデータとをアップクロック方式で送信することをさらに備える、請求項２０に記載の方法。
【請求項２４】
前記第１のチャネル帯域幅の前記一部分は前記第２のチャネル帯域幅の倍数である、請求項２３に記載の方法。
【請求項２５】
前記第２のプリアンブルとデータとを送信するのに使うための、前記第１のチャネル帯域幅内のオフセット位置を決定することをさらに備える、請求項２０に記載の方法。
【請求項２６】
複数のオフセット位置が、異なるデバイスに割り当てられ、
前記オフセット位置を決定することは、前記第１の装置に割り当てられたオフセット位置を決定することを備える、請求項２５に記載の方法。
【発明の詳細な説明】
【技術分野】
【０００１】
米国特許法第１１９条に基づく優先権の主張
[0001]本出願は、その全体が参照により本明細書に組み込まれる、２０１３年１月２９日に出願された米国仮特許出願第６１／７５８，２２２号、およびその全体が参照により本明細書に組み込まれる、２０１３年１月２８日に出願された米国仮特許出願第６１／７５７，６６９号の利益を主張する。
【０００２】
[0002]本開示のいくつかの態様は概して、ワイヤレス通信に関し、より詳細には、屋外展開のための、ＷｉＦｉ（登録商標）帯域における（たとえば、２．４ＧＨｚおよび５ＧＨｚ帯域における）範囲および遅延拡散の拡張ならびにＰＨＹ変更に関する。
【背景技術】
【０００３】
[0003]ワイヤレス通信システムに要求される帯域幅要件の増加の問題に対処するために、高いデータスループットを達成しながら、複数のユーザ端末がチャネルリソースを共有することによって単一のアクセスポイントと通信することを可能にするために、様々な方式が開発されている。多入力多出力（ＭＩＭＯ）技術は、次世代通信システム用の好評な技法として最近登場した１つのそのような手法である。ＭＩＭＯ技術は、米国電気電子技術者協会（ＩＥＥＥ）８０２．１１規格など、いくつかの新生のワイヤレス通信規格において採用されている。ＩＥＥＥ８０２．１１は、（たとえば、数十メートルから数百メートルの）短距離通信用にＩＥＥＥ８０２．１１委員会によって開発されたワイヤレスローカルエリアネットワーク（ＷＬＡＮ）エアインターフェース規格のセットを示す。
【０００４】
[0004]ＭＩＭＯシステムは、データ伝送に複数の（ＮT）送信アンテナと複数の（ＮR）受信アンテナとを採用する。ＮT個の送信アンテナとＮR個の受信アンテナとによって形成されるＭＩＭＯチャネルは、ＮS個の独立チャネルに分解可能で、これは空間チャネルとも呼ばれ、ＮS≦ｍｉｎ｛ＮT，ＮR｝である。ＮS個の独立チャネルの各々は、１つの次元に対応する。複数の送信アンテナと受信アンテナとによって生成された追加の次元数が利用された場合、ＭＩＭＯシステムは改善されたパフォーマンス（たとえば、より高いスループットおよび／またはより大きい信頼性）を与えることができる。
【０００５】
[0005]単一アクセスポイント（ＡＰ）および複数のユーザ局（ＳＴＡ）を有するワイヤレスネットワークでは、アップリンクとダウンリンク方向の両方で、異なる局に向かって複数のチャネル上で同時送信が起こり得る。そのようなシステムには多くの課題が存在する。
【発明の概要】
【０００６】
[0006]本開示のいくつかの態様は概して、屋外展開のための、ＷｉＦｉ帯域における（たとえば、２．４ＧＨｚおよび５ＧＨｚ帯域における）範囲および遅延拡散の拡張ならびにＰＨＹ変更に関する。
【０００７】
[0007]本開示のいくつかの態様は、ワイヤレス通信のための装置を提供する。この装置は概して、第１のタイプのデバイスおよび第２のタイプのデバイスによって復号可能な第１のプリアンブルと、第２のタイプのデバイスによって復号可能だが、第１のタイプのデバイスによって復号可能でない第２のプリアンブルと、データとを備えるパケットを生成するように構成された処理システムと、パケットを送信するように構成された送信機と、ここにおいて、第１のプリアンブルは第１のチャネル帯域幅を使って送信され、第２のプリアンブルおよびデータは、第１のチャネル帯域幅の一部分のみを使って送信される、を含む。
【０００８】
[0008]本開示のいくつかの態様は、ワイヤレス通信のための装置を提供する。この装置は概して、第１のタイプのデバイスおよび第２のタイプのデバイスによって復号可能な第１のプリアンブルを備える、第２の装置から送信された第１のパケットを検出し、検出に応答して、第２のタイプのデバイスによって復号可能だが、第１のタイプのデバイスによって復号可能でない第２のプリアンブルと、データとを備える第２のパケットを生成するように構成された処理システムと、第２の装置に第２のパケットを送信するように構成された送信機と、ここにおいて、第１のプリアンブルは第１のチャネル帯域幅を使って送信され、第２のプリアンブルおよびデータは、第１のチャネル帯域幅の一部分のみを使って送信される、を含む。
【０００９】
[0009]本開示のいくつかの態様は、ワイヤレス通信のための方法を提供する。この方法は概して、第１のタイプのデバイスおよび第２のタイプのデバイスによって復号可能な第１のプリアンブルと、第２のタイプのデバイスによって復号可能だが、第１のタイプのデバイスによって復号可能でない第２のプリアンブルと、データとを備えるパケットを生成することと、パケットを送信することと、ここにおいて、第１のプリアンブルは第１のチャネル帯域幅を使って送信され、第２のプリアンブルおよびデータは、第１のチャネル帯域幅の一部分のみを使って送信される、を含む。
【００１０】
[0010]本開示のいくつかの態様は、ワイヤレス通信のための方法を提供する。この方法は概して、第１のタイプのデバイスおよび第２のタイプのデバイスによって復号可能な第１のプリアンブルを備える、第２の装置から送信された第１のパケットを、第１の装置によって検出することと、検出に応答して、第２のタイプのデバイスによって復号可能だが、第１のタイプのデバイスによって復号可能でない第２のプリアンブルと、データとを備える第２のパケットを生成することと、第２の装置に第２のパケットを送信することと、ここにおいて、第１のプリアンブルは第１のチャネル帯域幅を使って送信され、第２のプリアンブルおよびデータは、第１のチャネル帯域幅の一部分のみを使って送信される、を含む。
【００１１】
[0011]本開示のいくつかの態様は、ワイヤレス通信のための方法を提供する。この方法は概して、第１のタイプのデバイスおよび第２のタイプのデバイスによって復号可能な第１のプリアンブルと、第２のタイプのデバイスによって復号可能だが、第１のタイプのデバイスによって復号可能でない第２のプリアンブルと、データとを備えるパケットを受信することと、ここにおいて、第１のプリアンブルは第１のチャネル帯域幅を使って送信され、第２のプリアンブルおよびデータは、第１のチャネル帯域幅の一部分のみを使って送信される、パケットを処理することとを含む。
【００１２】
[0012]本開示のいくつかの態様は、ワイヤレス通信のための方法を提供する。この方法は概して、デバイスに第１のパケットを送信することと、第１のパケットは、第１のタイプのデバイスおよび第２のタイプのデバイスによって復号可能な第１のプリアンブルを備える、第２のタイプのデバイスによって復号可能だが、第１のタイプのデバイスによって復号可能でない第２のプリアンブルと、データとを備える第２のパケットを、デバイスから受信することと、ここにおいて、第１のプリアンブルは、第１のチャネル帯域幅を使って装置から送信され、第２のプリアンブルおよびデータは、第１のチャネル帯域幅の一部分のみを使って送信される、を含む。
【００１３】
[0013]本開示のいくつかの態様は、ワイヤレス通信のための方法を提供する。この方法は概して、プリアンブルとデータとを備えるパケットを生成することと、ここにおいて、プリアンブルは、第１のチャネル帯域幅での送信用に定義されたフォーマットのものである、少なくとも１つの他の装置にパケットを送信することと、ここにおいて、プリアンブルおよびデータは、第１のチャネル帯域幅よりも大きいチャネル帯域幅を使って、アップクロック方式で送信される、を含む。
【００１４】
[0014]本開示のいくつかの態様は、ワイヤレス通信のための方法を提供する。この方法は概して、プリアンブルとデータとを備えるパケットを受信することと、ここにおいて、プリアンブルは、第１のチャネル帯域幅での送信用に定義されたフォーマットのものである、ならびにここにおいて、プリアンブルおよびデータは、第１のチャネル帯域幅よりも大きいチャネル帯域幅を使って、アップクロック方式で送信される、パケットを復号することとを含む。
【００１５】
[0015]様々な態様は、上述した方法の動作を実施することが可能な様々な装置、プログラム製品、ならびにデバイス（たとえば、アクセスポイントおよび他のタイプのワイヤレスデバイス）も提供する。
【００１６】
[0016]本開示の上述の特徴を詳細に理解することができるように、添付の図面にその一部を示す態様を参照することによって、上記で簡単に要約したより具体的な説明を得ることができる。しかし、添付の図面は、本開示の特定の典型的な態様のみを示し、したがって、本開示の範囲の限定とみなされてはならず、その理由は、この説明が他の同等の効果のある態様をもたらし得るからであることに留意されたい。
【図面の簡単な説明】
【００１７】
【図１】[0017]本開示のいくつかの態様によるワイヤレス通信ネットワークの図。
【図２】[0018]本開示のいくつかの態様による、例示的アクセスポイントとユーザ端末とのブロック図。
【図３】[0019]本開示の特定の態様による例示的ワイヤレスデバイスのブロック図。
【図４】[0020]本開示のいくつかの態様による、例示的なプリアンブル構造を示す図。
【図５】[0021]本開示のいくつかの態様による、例示的なプリアンブル構造を示す図。
【図６】[0022]本開示のいくつかの態様による、例示的なプリアンブル構造を示す図。
【図７】[0023]本開示のいくつかの態様による、例示的なプリアンブル構造を示す図。
【図８】[0024]本開示のいくつかの態様による、例示的なプリアンブル構造を示す図。
【図９】[0025]本開示のいくつかの態様による、例示的なプリアンブル構造を示す図。
【図１０】[0026]本開示のいくつかの態様による、ＤＬデータおよびＵＬ  ＡＣＫを伴う例示的な送信シーケンスを示す図。
【図１１】[0027]本開示のいくつかの態様による、ＤＬデータおよびＵＬ  ＡＣＫを伴う例示的な送信シーケンスを示す図。
【図１２】[0028]本開示のいくつかの態様による、アクセスポイントによる、ワイヤレス通信のための例示的な動作を示す図。
【図１２Ａ】[0029]本開示のいくつかの態様による、図１２の動作を実施することが可能な例示的な構成要素を示す図。
【図１３】[0030]本開示のいくつかの態様による、局による、ワイヤレス通信のための例示的な動作を示す図。
【図１３Ａ】[0031]本開示のいくつかの態様による、図１３の動作を実施することが可能な例示的な構成要素を示す図。
【図１４】[0032]本開示のいくつかの態様による、局による、ワイヤレス通信のための例示的な動作を示す図。
【図１４Ａ】[0033]本開示のいくつかの態様による、図１４の動作を実施することが可能な例示的な構成要素を示す図。
【図１５】[0034]本開示のいくつかの態様による、アクセスポイントによる、ワイヤレス通信のための例示的な動作を示す図。
【図１５Ａ】[0035]本開示のいくつかの態様による、図１５の動作を実施することが可能な例示的な構成要素を示す図。
【図１６】[0036]本開示のいくつかの態様による、アクセスポイントによる、ワイヤレス通信のための例示的な動作を示す図。
【図１６Ａ】[0037]本開示のいくつかの態様による、図１６の動作を実施することが可能な例示的な構成要素を示す図。
【図１７】[0038]本開示のいくつかの態様による、局による、ワイヤレス通信のための例示的な動作を示す図。
【図１７Ａ】[0039]本開示のいくつかの態様による、図１７の動作を実施することが可能な例示的な構成要素を示す図。
【図１８】[0040]本開示のいくつかの態様による、例示的なプリアンブル構造を示す図。
【図１９】[0041]本開示のいくつかの態様による、例示的なプリアンブル構造を示す図。
【図２０】[0042]本開示のいくつかの態様による、ＤＬデータおよびＵＬ  ＡＣＫを伴う例示的な送信シーケンスを示す図。
【図２１】[0043]本開示のいくつかの態様による、ＤＬデータおよびＵＬ  ＡＣＫを伴う例示的な送信シーケンスを示す図。
【図２２Ａ】[0044]本開示のいくつかの態様による、ＵＬデータを伴う例示的な送信シーケンスを示す図。
【図２２Ｂ】本開示のいくつかの態様による、ＵＬデータを伴う例示的な送信シーケンスを示す図。
【図２３】本開示のいくつかの態様による、ＵＬデータを伴う例示的な送信シーケンスを示す図。
【図２４】本開示のいくつかの態様による、ＵＬデータを伴う例示的な送信シーケンスを示す図。
【図２５】[0045]ＷＷＡＮトラフィック用のＷＬＡＮオフローディングの展開のための例示的なパラメータを示す図。
【図２６】[0046]本開示のいくつかの態様による、ＤＬデータおよびＵＬ  ＡＣＫを伴う例示的な送信シーケンスを示す図。
【図２７】本開示のいくつかの態様による、ＤＬデータおよびＵＬ  ＡＣＫを伴う例示的な送信シーケンスを示す図。
【図２８】本開示のいくつかの態様による、ＤＬデータおよびＵＬ  ＡＣＫを伴う例示的な送信シーケンスを示す図。
【図２９】本開示のいくつかの態様による、ＤＬデータおよびＵＬ  ＡＣＫを伴う例示的な送信シーケンスを示す図。
【発明を実施するための形態】
【００１８】
[0047]２．４ＧＨｚおよび５ＧＨｚ帯域などのＷｉＦｉ帯域とＰＨＹ変更とを屋外展開のために使うとき、許容可能な範囲と遅延拡散とを展開するのを助け得る様々な態様について、本明細書において記載する。
【００１９】
[0048]添付の図面を参照しながら本開示の様々な態様について以下でより十分に説明する。ただし、本開示は、多くの異なる形態で実施され得るものであり、本開示全体にわたって提示する任意の特定の構造または機能に限定されるものと解釈すべきではない。むしろ、これらの態様は、本開示が周到で完全になり、本開示の範囲を当業者に十分に伝えるために与えるものである。本明細書の教示に基づいて、本開示の範囲は、本開示の他の態様とは無関係に実装されるにせよ、本開示の他の態様と組み合わせて実装されるにせよ、本明細書で開示する本開示のいかなる態様をもカバーするものであることを、当業者なら諒解されたい。たとえば、本明細書に記載の態様をいくつ使用しても、装置を実装し得、または方法を実施し得る。さらに、本開示の範囲は、本明細書に記載の本開示の様々な態様に加えてまたはそれらの態様以外に、他の構造、機能、または構造および機能を使用して実施されるそのような装置またはそのような方法をカバーするものとする。本明細書で開示する本開示の任意の態様が請求項の１つまたは複数の要素によって実施できることを理解されたい。
【００２０】
[0049]「例示的」という単語は、本明細書では「例、事例、または例示の働きをすること」を意味するために使用する。「例示的」として本明細書で説明するいかなる態様も、必ずしも他の態様よりも好適または有利なものと解釈すべきではない。
【００２１】
[0050]本明細書では特定の態様について説明するが、これらの態様の多くの変形体および置換は本開示の範囲内に入る。好ましい態様のいくつかの利益および利点について説明するが、本開示の範囲は特定の利益、使用、または目的に限定されるものではない。むしろ、本開示の態様は、様々なワイヤレス技術、システム構成、ネットワーク、および送信プロトコルに広く適用可能であるものとし、そのうちのいくつかを例として図および好ましい態様についての以下の説明で示す。発明を実施するための形態および図面は、限定的なものではなく本開示を説明するものにすぎず、本開示の範囲は添付の特許請求の範囲およびその均等物によって規定される。
【００２２】
例示的なワイヤレス通信システム
[0051]本明細書で説明する技法は、直交多重化方式に基づく通信システムを含む様々なブロードバンドワイヤレス通信システムに使用され得る。そのような通信システムの例には、空間分割多元接続（ＳＤＭＡ）、時分割多元接続（ＴＤＭＡ）、直交周波数分割多元接続（ＯＦＤＭＡ）システム、シングルキャリア周波数分割多元接続（ＳＣ−ＦＤＭＡ）システムなどがある。ＳＤＭＡシステムは、十分に異なる方向を使用して、複数のユーザ端末に属すデータを同時に送信するために利用できる。ＴＤＭＡシステムは、複数のユーザ端末が、送信信号を異なるタイムスロットに分割することによって、同じ周波数チャネルを共有することを可能にすることができ、各タイムスロットは、異なるユーザ端末に割り当てられる。ＯＦＤＭＡシステムは、全システム帯域幅を複数の直交サブキャリアに区分する変調技法である、直交周波数分割多重（ＯＦＤＭ）を利用する。これらのサブキャリアは、トーン、ビンなどと呼ぶこともできる。ＯＦＤＭでは、各サブキャリアはデータで独立して変調できる。ＳＣ−ＦＤＭＡシステムは、システム帯域幅にわたって分散されたサブキャリア上で送信するためのインターリーブされたＦＤＭＡ（ＩＦＤＭＡ）、隣接するサブキャリアのブロック上で送信するための局所ＦＤＭＡ（ＬＦＤＭＡ）、または隣接するサブキャリアの複数のブロック上で送信するための拡張ＦＤＭＡ（ＥＦＤＭＡ）を利用することができる。一般に、変調シンボルは、ＯＦＤＭでは周波数領域で、ＳＣ−ＦＤＭＡでは時間領域で送られる。
【００２３】
[0052]本明細書の教示は、様々なワイヤードまたはワイヤレス装置（たとえば、ノード）に組み込まれ得る（たとえば、その装置内に実装され、またはその装置によって実行され得る）。いくつかの態様では、本明細書の教示に従って実装されるワイヤレスノードはアクセスポイントまたはアクセス端末を備え得る。
【００２４】
[0053]アクセスポイント（「ＡＰ」）は、ノードＢ、無線ネットワークコントローラ（「ＲＮＣ」）、ｅｖｏｌｖｅｄノードＢ（ｅＮＢ）、基地局コントローラ（「ＢＳＣ」）、ベーストランシーバ局（「ＢＴＳ」）、基地局（「ＢＳ」）、トランシーバ機能（「ＴＦ」）、無線ルータ、無線トランシーバ、基本サービスセット（「ＢＳＳ」）、拡張サービスセット（「ＥＳＳ」）、無線基地局（「ＲＢＳ」）、または何らかの他の用語を備えるか、それらのいずれかとして実装されるか、あるいはそれらのいずれかとして知られていることがある。
【００２５】
[0054]アクセス端末（「ＡＴ」）は、加入者局、加入者ユニット、移動局、リモート局、リモート端末、ユーザ端末、ユーザエージェント、ユーザデバイス、ユーザ機器、ユーザ局、または何らかの他の用語を備えるか、それらのいずれかとして実装されるか、あるいはそれらのいずれかとして知られていることがある。いくつかの実装形態では、アクセス端末は、セルラー電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続機能を有するハンドヘルドデバイス、局（「ＳＴＡ」）、またはワイヤレスモデムに接続された何らかの他の好適な処理デバイスを備え得る。したがって、本明細書で教示する１つまたは複数の態様は、電話（たとえば、セルラー電話またはスマートフォン）、コンピュータ（たとえば、ラップトップ）、ポータブル通信デバイス、ポータブルコンピューティングデバイス（たとえば、個人情報端末）、娯楽デバイス（たとえば、音楽またはビデオデバイス、あるいは衛星ラジオ）、全地球測位システムデバイス、あるいはワイヤレスまたはワイヤード媒体を介して通信するように構成された他の好適なデバイスに組み込まれ得る。いくつかの態様では、ノードはワイヤレスノードである。たとえば、そのようなワイヤレスノードは、ワイヤードまたはワイヤレス通信リンクを介した、ネットワーク（たとえば、インターネットまたはセルラーネットワークなど、ワイドエリアネットワーク）のための、またはネットワークへの接続性を与え得る。
【００２６】
[0055]図１に、アクセスポイントとユーザ端末とをもつ多元接続多入力多出力（ＭＩＭＯ）システム１００を示す。簡単のために、図１にはただ１つのアクセスポイント１１０を示してある。アクセスポイントは、一般に、ユーザ端末と通信する固定局であり、基地局または何らかの他の用語で呼ばれることもある。ユーザ端末は、固定でもモバイルでもよく、移動局、ワイヤレスデバイスまたは何らかの他の用語で呼ばれることもある。アクセスポイント１１０は、ダウンリンクおよびアップリンク上で所与の瞬間において１つまたは複数のユーザ端末１２０と通信することができる。ダウンリンク（すなわち、順方向リンク）はアクセスポイントからユーザ端末への通信リンクであり、アップリンク（すなわち、逆方向リンク）はユーザ端末からアクセスポイントへの通信リンクである。ユーザ端末はまた、別のユーザ端末とピアツーピアに通信することができる。システムコントローラ１３０は、アクセスポイントに結合し、アクセスポイントの調整および制御を行う。
【００２７】
[0056]以下の開示の部分では、空間分割多元接続（ＳＤＭＡ）によって通信することが可能なユーザ端末１２０について説明するが、いくつかの態様では、ユーザ端末１２０は、ＳＤＭＡをサポートしないいくつかのユーザ端末をも含むことができる。したがって、そのような態様では、ＡＰ１１０は、ＳＤＭＡユーザ端末と非ＳＤＭＡユーザ端末の両方と通信するように構成できる。この手法は、より新しいＳＤＭＡユーザ端末が適宜に導入されることを可能にしながら、より古いバージョンのユーザ端末（「レガシー」局）が企業に配備されたままであることを都合よく可能にして、それらの有効寿命を延長することができる。
【００２８】
[0057]システム１００は、ダウンリンクおよびアップリンク上でのデータ送信のために複数の送信アンテナおよび複数の受信アンテナを採用する。アクセスポイント１１０は、Ｎap個のアンテナを備え、ダウンリンク送信では多入力（ＭＩ）を表し、アップリンク送信では多出力（ＭＯ）を表す。Ｋ個の選択されたユーザ端末１２０のセットは、ダウンリンク送信では多出力を集合的に表し、アップリンク送信では多入力を集合的に表す。純粋なＳＤＭＡの場合、Ｋ個のユーザ端末のためのデータシンボルストリームが、何らかの手段によって、コード、周波数、または時間で多重化されない場合、Ｎap≧Ｋ≧１であることが望まれる。ＴＤＭＡ技法、ＣＤＭＡを用いた様々なコードチャネル、ＯＦＤＭを用いたサブバンドの独立セットなどを使用してデータシンボルストリームを多重化することができる場合、ＫはＮapよりも大きくすることができる。各選択されたユーザ端末は、ユーザ固有のデータをアクセスポイントに送信し、および／またはアクセスポイントからユーザ固有のデータを受信する。一般に、各選択されたユーザ端末は、１つまたは複数のアンテナを備えることができる（すなわち、Ｎut≧１）。Ｋ個の選択されたユーザ端末は、同じまたは異なる数のアンテナを有することができる。
【００２９】
[0058]システム１００は時分割複信（ＴＤＤ）システムまたは周波数分割複信（ＦＤＤ）システムとすることができる。ＴＤＤシステムの場合、ダウンリンクとアップリンクは同じ周波数帯域を共有する。ＦＤＤシステムの場合、ダウンリンクとアップリンクは異なる周波数帯域を使用する。ＭＩＭＯシステム１００はまた、送信のために単一のキャリアまたは複数のキャリアを利用することができる。各ユーザ端末は、（たとえば、コストを抑えるために）単一のアンテナを備えることができ、または（たとえば、追加費用をサポートすることができる場合）複数のアンテナを備えることができる。ユーザ端末１２０が、送信／受信を異なるタイムスロットに分割することによって、同じ周波数チャネルを共有する場合、システム１００は、ＴＤＭＡシステムであってもよく、各タイムスロットは、異なるユーザ端末１２０に割り当てられる。
【００３０】
[0059]図２に、ＭＩＭＯシステム１００におけるアクセスポイント１１０と２つのユーザ端末１２０ｍおよび１２０ｘとのブロック図を示す。アクセスポイント１１０は、Ｎt個のアンテナ２２４ａ〜２２４ｔを備える。ユーザ端末１２０ｍは、Ｎut,m個のアンテナ２５２ｍａ〜２５２ｍｕを備え、ユーザ端末１２０ｘは、Ｎut,x個のアンテナ２５２ｘａ〜２５２ｘｕを備える。アクセスポイント１１０は、ダウンリンクでは送信エンティティであり、アップリンクでは受信エンティティである。各ユーザ端末１２０は、アップリンクでは送信エンティティであり、ダウンリンクでは受信エンティティである。本明細書で使用する「送信エンティティ」は、ワイヤレスチャネルを介してデータを送信することが可能な独立動作型の装置またはデバイスであり、「受信エンティティ」は、ワイヤレスチャネルを介してデータを受信することが可能な独立動作型の装置またはデバイスである。以下の説明では、下付き文字「ｄｎ」はダウンリンクを示し、上付き文字「ｕｐ」はアップリンクを示し、Ｎｕｐ個のユーザ端末がアップリンク上での同時送信のために選択され、Ｎｄｎ個のユーザ端末がダウンリンク上での同時送信のために選択され、Ｎｕｐは、Ｎｄｎに等しいことも等しくないこともあり、ＮｕｐとＮｄｎとは、静的な値であるかまたはスケジュール間隔ごとに変化することができる。アクセスポイントおよびユーザ端末においてビームステアリングまたは何らかの他の空間処理技法が使用できる。
【００３１】
[0060]アップリンク上では、アップリンク送信のために選択された各ユーザ端末１２０において、ＴＸデータプロセッサ２８８は、データソース２８６からトラフィックデータを受信し、コントローラ２８０から制御データを受信する。ＴＸデータプロセッサ２８８は、ユーザ端末のための選択されたレートに関連するコーディングおよび変調方式に基づいて、ユーザ端末のためのトラフィックデータを処理（たとえば、符号化、インターリーブ、および変調）し、データシンボルストリームを与える。ＴＸ空間プロセッサ２９０は、データシンボルストリームに対して空間処理を実行し、Ｎut,m個の送信シンボルストリームをＮut,m個のアンテナに与える。各送信機ユニット（ＴＭＴＲ）２５４は、アップリンク信号を発生するために、それぞれの送信シンボルストリームを受信し、処理（たとえば、アナログ変換、増幅、フィルタ処理、および周波数アップコンバート）する。Ｎut,m個の送信機ユニット２５４は、Ｎut,m個のアンテナ２５２からアクセスポイントへの送信用に、Ｎut,m個のアップリンク信号を与える。
【００３２】
[0061]アップリンク上での同時送信のためにＮｕｐ個のユーザ端末がスケジュールできる。これらのユーザ端末の各々は、そのデータシンボルストリームに対して空間処理を実行し、アップリンク上で送信シンボルストリームのそのセットをアクセスポイントに送信する。
【００３３】
[0062]アクセスポイント１１０において、Ｎap個のアンテナ２２４ａ〜２２４ａｐは、アップリンク上で送信するすべてのＮｕｐ個のユーザ端末からアップリンク信号を受信する。各アンテナ２２４は、受信信号をそれぞれの受信機ユニット（ＲＣＶＲ）２２２に与える。各受信機ユニット２２２は、送信機ユニット２５４によって実行された処理を補足する処理を実行し、受信シンボルストリームを与える。ＲＸ空間プロセッサ２４０は、Ｎap個の受信機ユニット２２２からのＮap個の受信シンボルストリームに対して受信機空間処理を実行し、Ｎｕｐ個の復元されたアップリンクデータシンボルストリームを与える。受信機空間処理は、チャネル相関行列反転（ＣＣＭＩ）、最小平均２乗誤差（ＭＭＳＥ）、ソフト干渉消去（ＳＩＣ）、または何らかの他の技法に従って実行される。各復元されたアップリンクデータシンボルストリームは、それぞれのユーザ端末によって送信されたデータシンボルストリームの推定値である。ＲＸデータプロセッサ２４２は、復号データを得るために、そのストリームのために使用されたレートに応じて各復元されたアップリンクデータシンボルストリームを処理（たとえば、復調、デインターリーブ、および復号）する。各ユーザ端末の復号データは、記憶のためにデータシンク２４４に与えられ、および／またはさらなる処理のためにコントローラ２３０に与えられる。
【００３４】
[0063]ダウンリンク上では、アクセスポイント１１０において、ＴＸデータプロセッサ２１０は、ダウンリンク送信のためにスケジュールされたＮｄｎ個のユーザ端末のためのデータソース２０８からトラフィックデータを受信し、コントローラ２３０から制御データを受信し、場合によってはスケジューラ２３４から他のデータを受信する。様々なタイプのデータは様々なトランスポートチャネル上で送られる。ＴＸデータプロセッサ２１０は、そのユーザ端末のために選択されたレートに基づいて各ユーザ端末のトラフィックデータを処理（たとえば、符号化、インターリーブ、変調）する。ＴＸデータプロセッサ２１０は、Ｎｄｎ個のダウンリンクデータシンボルストリームをＮｄｎ個のユーザ端末に与える。ＴＸ空間プロセッサ２２０は、Ｎｄｎ個のダウンリンクデータシンボルストリームに対して空間処理（本開示に記載するプリコーディングまたはビームフォーミングなど）を実施し、Ｎap個のアンテナにＮap個の送信シンボルストリームを与える。各送信機ユニット２２２は、ダウンリンク信号を発生するために、それぞれの送信シンボルストリームを受信し、処理する。Ｎap個のアンテナ２２４からユーザ端末への送信用に、Ｎap個のダウンリンク信号を与えるＮap個の送信機ユニット２２２。
【００３５】
[0064]各ユーザ端末１２０において、Ｎut,m個のアンテナ２５２は、アクセスポイント１１０からＮap個のダウンリンク信号を受信する。各受信機ユニット２５４は、関連するアンテナ２５２からの受信信号を処理し、受信シンボルストリームを与える。ＲＸ空間プロセッサ２６０は、Ｎut,m個の受信機ユニット２５４からのＮut,m個の受信シンボルストリームに対して受信機空間処理を実行し、復元されたダウンリンクデータシンボルストリームをユーザ端末に与える。受信機空間処理は、ＣＣＭＩ、ＭＭＳＥまたは何らかの他の技法に従って実行される。ＲＸデータプロセッサ２７０は、ユーザ端末のための復号データを得るために、復元されたダウンリンクデータシンボルストリームを処理（たとえば、復調、デインターリーブ、および復号）する。
【００３６】
[0065]各ユーザ端末１２０において、チャネル推定器２７８は、ダウンリンクチャネル応答を推定し、チャネル利得推定値、ＳＮＲ推定値、ノイズ分散などを含み得るダウンリンクチャネル推定値を与える。同様に、チャネル推定器２２８は、アップリンクチャネル応答を推定し、アップリンクチャネル推定値を与える。各ユーザ端末用のコントローラ２８０は通常、ユーザ端末についての空間フィルタ行列を、そのユーザ端末についてのダウンリンクチャネル応答行列Ｈｄｎ，ｍに基づいて導出する。コントローラ２３０は、アクセスポイントについての空間フィルタ行列を、実効アップリンクチャネル応答行列Ｈｕｐ，ｅｆｆに基づいて導出する。各ユーザ端末用のコントローラ２８０は、フィードバック情報（たとえば、ダウンリンクおよび／またはアップリンク固有ベクトル、固有値、ＳＮＲ推定値など）をアクセスポイントに送ることができる。コントローラ２３０および２８０は、それぞれ、アクセスポイント１１０とユーザ端末１２０とにおける様々な処理ユニットの動作も制御する。
【００３７】
[0066]図３に、ワイヤレス通信システム（たとえば、図１のシステム１００）内で採用され得るワイヤレスデバイス３０２において利用され得る様々な構成要素を示す。ワイヤレスデバイス３０２は、本明細書で説明する様々な方法を実装するように構成できるデバイスの一例である。ワイヤレスデバイス３０２はアクセスポイント１１０またはユーザ端末１２０であり得る。
【００３８】
[0067]ワイヤレスデバイス３０２は、ワイヤレスデバイス３０２の動作を制御するプロセッサ３０４を含むことができる。プロセッサ３０４は中央処理装置（ＣＰＵ）と呼ばれることもある。読取り専用メモリ（ＲＯＭ）とランダムアクセスメモリ（ＲＡＭ）の両方を含むことができるメモリ３０６は、命令とデータとをプロセッサ３０４に与える。メモリ３０６の一部は不揮発性ランダムアクセスメモリ（ＮＶＲＡＭ）をも含むことができる。プロセッサ３０４は一般に、メモリ３０６内に記憶されたプログラム命令に基づいて、論理および演算動作を実行する。メモリ３０６中の命令は、本明細書で説明する方法を実装するために実行可能である。
【００３９】
[0068]ワイヤレスデバイス３０２は、ワイヤレスデバイス３０２と遠隔地との間のデータの送信および受信を可能にするために送信機３１０と受信機３１２とを含むことができるハウジング３０８を含むこともできる。送信機３１０と受信機３１２とを組み合わせてトランシーバ３１４を形成することができる。単一または複数の送信アンテナ３１６は、ハウジング３０８に取り付けられ、トランシーバ３１４に電気的に結合され得る。ワイヤレスデバイス３０２は、複数の送信機と、複数の受信機と、複数のトランシーバとをも含むことができる（図示せず）。
【００４０】
[0069]ワイヤレスデバイス３０２は、トランシーバ３１４によって受信された信号のレベルを検出および定量化するために使用できる信号検出器３１８をも含むことができる。信号検出器３１８は、総エネルギー、シンボルごとのサブキャリア当たりのエネルギー、電力スペクトル密度および他の信号などの信号を検出し得る。ワイヤレスデバイス３０２はまた、信号を処理する際に使用するためのデジタル信号プロセッサ（ＤＳＰ）３２０を含み得る。
【００４１】
[0070]ワイヤレスデバイス３０２の様々な構成要素は、データバスに加えて、電力バスと、制御信号バスと、ステータス信号バスとを含み得るバスシステム３２２によって互いに結合され得る。
【００４２】
例示的なプリアンブル構造
[0071]図４は、本開示のいくつかの態様による１１ａｃプリアンブル４００の例示的構造を示す。プリアンブル４００は、たとえば、ワイヤレスネットワーク（たとえば、図１に示すシステム１００）内においてアクセスポイント（ＡＰ）１１０からユーザ端末１２０に送信され得る。
【００４３】
[0072]プリアンブル４００は、オムニレガシー（ｏｍｎｉ−ｌｅｇａｃｙ）部分４０２（すなわち、非ビームフォーム部分）と、プリコード８０２．１１ａｃＶＨＴ（超高スループット）部分４０４とを備え得る。レガシー部分４０２は、レガシーショートトレーニングフィールド（Ｌ−ＳＴＦ）４０６と、レガシーロングトレーニングフィールド４０８と、レガシー信号（Ｌ−ＳＩＧ）フィールド４１０と、２つのＶＨＴ信号Ａ用ＯＦＤＭシンボル４１２、４１４（ＶＨＴ−ＳＩＧ−Ａ）フィールドとを備え得る。ＶＨＴ−ＳＩＧ−Ａフィールド４１２、４１４は、全方向的に送信することができ、ＳＴＡの組合せ（セット）への、空間ストリームの数の割振りを示し得る。いくつかの態様のために、ＳＴＡの特定のセットがＭＵ−ＭＩＭＯ送信の空間ストリームを受信することになることをすべてのサポートされたＳＴＡに伝達するために、グループ識別子（ｇｒｏｕｐＩＤ）フィールド４１６がプリアンブル４００中に含まれ得る。
【００４４】
[0073]プリコード８０２．１１ａｃ  ＶＨＴ部分４０４は、超高スループットショートトレーニングフィールド（ＶＨＴ−ＳＴＦ）４１８と、超高スループットロングトレーニングフィールド１（ＶＨＴ−ＬＴＦ１）４２０と、複数の超高スループットロングトレーニングフィールド（ＶＨＴ−ＬＴＦ）４２２と、超高スループット信号Ｂ（ＶＨＴ−ＳＩＧ−Ｂ）フィールド４２４と、データ部分４２６とを備え得る。ＶＨＴ−ＳＩＧ−Ｂフィールドは、１つのＯＦＤＭシンボルを備えることができ、プリコード／ビームフォーム送信され得る。
【００４５】
[0074]ロバストＭＵ−ＭＩＭＯ受信は、ＡＰが、すべてのサポートされるＳＴＡにすべてのＶＨＴ−ＬＴＦ４２２を送信することを伴い得る。ＶＨＴ−ＬＴＦ４２２により、各ＳＴＡはすべてのＡＰアンテナからＳＴＡのアンテナへのＭＩＭＯチャネルを推定することができる。ＳＴＡは、推定されたチャネルを利用して、他のＳＴＡに対応するＭＵ−ＭＩＭＯストリームからの干渉の効果的なヌリングを実施することができる。ロバスト干渉除去を実施するために、各ＳＴＡは、どの空間ストリームがそのＳＴＡに属すか、およびどの空間ストリームが他のユーザに属すかを知っているものと予想され得る。
【００４６】
[0075]図５は、本開示のいくつかの態様による、１１ａ／ｇプリアンブル５００の例示的な構造を示す。図５に示すように、１１ａ／ｇ物理プロトコルデータユニット（ＰＰＤＵ）フォーマットは、Ｌ−ＳＴＦ４０６と、Ｌ−ＬＴＦ４０８と、Ｌ−ＳＩＧ４１０と、データフィールド４２６とを含み得る。
【００４７】
[0076]図６は、本開示のいくつかの態様による、１１ｎプリアンブル６００の例示的な構造を示す。図６に示すように、１１ｎ  ＰＰＤＵフォーマットは、Ｌ−ＳＩＧ４１０とデータフィールド４２６との間に、１１ａ／ｇプリアンブルならびにＨＴ−ＳＩＧ６１２、ＨＴ  ＳＴＦ６１８のフィールドと、１つまたは複数のＨＴ−ＬＴＦ４２２ａ〜４２２ｎフィールドとを含み得る。
【００４８】
[0077]Ｌ−ＳＩＧは、２位相シフトキーイング（ＢＰＳＫ）変調される。ＨＴ−ＳＩＧは、直交ＢＰＳＫ（Ｑ−ＢＰＳＫ）変調される。ＶＨＴ−ＳＩＧの第２の直交周波数分割多重（ＯＦＤＭ）シンボルは、Ｑ−ＢＰＳＫ変調される。「Ｑ」回転により、受信機が、１１ａ／ｇ、１１ｎおよび１１ａｃ波形の間を区別できるようになる
ＷｉＦｉ帯域における範囲および遅延拡散の拡張
[0078]５ＧＨｚ帯域中には重要なスペクトルがあるが、５ＧＨｚ  ＷｉＦｉの範囲およびカバレージはしばしば貧弱である。測定値は、家庭における２．４ＧＨｚ  ＷｉＦｉに関して、６〜１０ｄＢの伝播損失を示唆する。低密度パリティチェック（ＬＤＰＣ）、送信ビームフォーミング、および空間時間ブロックコーディング（ＳＴＢＣ）などの８０２．１１拡張ＰＨＹ特徴は、６Ｍｂｐｓデータレートでの増大する範囲では効果的でなく、というのは、制御フレームおよび管理フレームはこれらの拡張ＰＨＹ特徴を使うことができないからである。５ＧＨｚ帯域とは異なり、２．４ＧＨｚ帯域は、制御および管理フレームのための１１ｂ１Ｍｂｐｓデータレートの使用を可能にする。
【００４９】
[0079]レガシー（たとえば、８０２１１ｇ／ｎまたは簡略して「１１ａ／ｇ／ｎ／ａｃ」）デバイスを用いた、５ＧＨｚ帯域中または２．４ＧＨｚ帯域中における６Ｍｂｐｓデータレートでの範囲増大のための後方互換プリアンブルおよびデータ設計のための装置および技法が、本明細書で提供される。いくつかの実施形態では、本明細書で提供される技法および装置は、アクセスポイント（ＡＰ）送信電力が局（ＳＴＡ）送信電力よりも大きいシナリオにおいて、リンクに近づくために、アップリンク肯定応答（ＵＬ  ＡＣＫ）などのコントロールパケット用に排他的に使われ得る。
【００５０】
[0080]新規プリアンブルは、レガシープリアンブル、たとえば、図４〜図６に示す１１ａ／ｇ／ｎ／ａｃプリアンブルと後方互換することが望ましい。レガシー１１ａ／ｇ／ｎ／ａｃデバイスは、プリアンブルを復号し、送信が終わるまで延期することを要求され得る。
【００５１】
[0081]いくつかの態様によると、レガシー２０ＭＨｚプリアンブル（たとえば、１１ａ／ｇプリアンブル５００）には、図７に示すように、データ４２６が続く、１ｘ〜１０ｘの倍率だけアップクロックされている１１ａｈ  １ＭＨｚプリアンブル７０２（「新規プリアンブル」）が付加され得る。レガシープリアンブルに続く１１ａｈ波形の有効帯域幅は、アップクロック倍率に依存して、１ＭＨｚ〜１０ＭＨｚのどこにあってもよい。図７の上部に示されているが、いくつかの実施形態では、１１ａｈ  １ＭＨｚプリアンブル７０２およびデータ４２６の周波数領域配置は、すべての可能オフセット（たとえば、最高、中心、または最低）を含み得る。
【００５２】
[0082]いくつかの態様によると、１１ａｈ  １ＭＨｚプリアンブル７０２の「アップクロック」倍率およびデータ４２６は、ユーザの遅延拡散緩和、範囲増大、および周波数領域多重化（ＦＤＭ）用の所望のサイクリックプレフィックス（ＣＰ）持続時間増大を与えるように選ぶことができる。たとえば、アップクロック倍率が１０ｘである場合、新規プリアンブル７０２およびデータ４２６の有効帯域幅は１０ＭＨｚである。これにより、レガシープリアンブル５００に対して、新規プリアンブル７０２およびデータ４２６の有効範囲の、６ｄＢ前後の増大（たとえば、Ｒｅｐ２ＭＣＳ０モードからの４ｄＢの増大および２０ＭＨｚから１０ＭＨｚへの帯域幅削減利得からの３ｄＢの増大であって、周波数ダイバーシティからの１ｄＢの損失がある）を与えることができる。ただし、ＣＰは、わずか８００ｎｓ（すなわち、レガシープリアンブルと同じ）であり得るが、これは、特に屋外環境において、大規模遅延拡散を扱うのに十分でない場合がある。２０ＭＨｚ帯域幅ではわずか２ユーザが多重化されてよく、各１０ＭＨｚ帯域幅中で１人である。
【００５３】
[0083]代替として、アップクロック倍率が５ｘである場合、新規プリアンブル７０２およびデータ４２６の有効帯域幅は５ＭＨｚであり得る。これにより、レガシープリアンブル５００に対して、新規プリアンブル７０２およびデータ４２６の有効範囲の、７ｄＢ前後の増大（すなわち、Ｒｅｐ２ＭＣＳ０モードからの４ｄＢの増大および２０ＭＨｚから５ＭＨｚへの帯域幅削減利得からの６ｄＢの増大であって、周波数ダイバーシティからの３ｄＢの損失がある）を与える。ただし、アップクロックされた新規プリアンブル７０２およびデータ４２６があるので、ＣＰは現在、３．２μｓ（すなわち、レガシープリアンブル５００のＣＰの４倍）になることができ、これは、特に屋外環境において、大規模遅延拡散を扱うのに十分であり得る。したがって、この場合、２０ＭＨｚ帯域幅中で４ユーザが多重化されてよく、各５ＭＨｚ帯域幅中で１人である。
【００５４】
[0084]いくつかの態様によると、レガシー２０ＭＨｚプリアンブル（たとえば、１１ａ／ｇプリアンブル５００）には、図８に見られるように、データ４２６が続く、１ｘ〜５ｘの倍率だけアップクロックされている１１ａｈ  ２ＭＨｚプリアンブル８０２が代わりに付加され得る。レガシープリアンブル５００に続く１１ａｈ波形の有効帯域幅は、アップクロック倍率に依存して、２ＭＨｚ〜１０ＭＨｚの間であり得る。図８の上部に示されているが、１１ａｈ  ２ＭＨｚプリアンブル８０２およびデータ４２６の周波数領域配置は、すべての可能オフセット（たとえば、最高、中央、または最低）を含み得る。
【００５５】
[0085]いくつかの態様によると、１１ａｈ  ２ＭＨｚプリアンブル８０２のアップクロック倍率およびデータ４２６は、ユーザの遅延拡散緩和、範囲増大、およびＦＤＭ用の所望のＣＰ持続時間増大を与えるように選ぶことができる。たとえば、アップクロック倍率が５ｘである場合、１１ａｈ２ＭＨｚプリアンブル８０２およびデータ４２６の有効帯域幅は１０ＭＨｚであり得る。これにより、レガシープリアンブルに対して、１１ａｈ  ２ＭＨｚプリアンブル８０２およびデータ４２６の有効範囲の、約２ｄＢの増大（すなわち、２０ＭＨｚから１０ＭＨｚへの帯域幅削減利得による３ｄＢの増大であって、周波数ダイバーシティからの１ｄＢの損失がある）を与える。ただし、ＣＰはこの場合、１．６μｓ（すなわち、レガシープリアンブルのＣＰの２倍）であり得るが、これは、特に屋外環境において、大規模遅延拡散を扱うのに十分でない場合がある。
【００５６】
[0086]上述したように、２０ＭＨｚ帯域幅ではわずか２ユーザが多重化されればよく、各１０ＭＨｚ帯域幅中で１人である。たとえば、アップクロック倍率が２．５ｘである場合、１１ａｈ  ２ＭＨｚプリアンブル８０２およびデータ４２６の有効帯域幅は５ＭＨｚであり得る。これにより、レガシープリアンブルに対して、１１ａｈ  ２ＭＨｚプリアンブル８０２およびデータ４２６の有効範囲の、３ｄＢの増大（すなわち、２０ＭＨｚから５ＭＨｚへの帯域幅削減利得による６ｄＢの増大であって、周波数ダイバーシティからの３ｄＢの損失がある）を与えることができる。ただし、ＣＰはこの場合、３．２μｓ（すなわち、レガシープリアンブルのＣＰの４倍）であるが、これは、特に屋外環境において、大規模遅延拡散を扱うのに十分であり得る。この場合、２０ＭＨｚ帯域幅中で４ユーザが多重化されてよく、各５ＭＨｚ帯域幅中で１人である。
【００５７】
[0087]上で挙げたソリューションのために、レガシープリアンブルの範囲内にあるレガシーＳＴＡは、レガシープリアンブル、すなわちＬ−ＳＩＧを復号することができ、パケットの残りについては復号するのに忙しい場合がある。ただし、レガシープリアンブルの範囲外にあるレガシーＳＴＡは、この持続時間中に送信を開始してよく、新規プリアンブルおよびデータへの干渉を引き起こし得る。いくつかの実施形態では、レガシープリアンブルの持続時間を保護するための機構が使われてよく、たとえば、意図された受信機の近くにある１つまたは複数の範囲内ＳＴＡと、ダミー送信要求（ＲＴＳ）−送信可（ＣＴＳ）交換が実施されてよい。
【００５８】
[0088]いくつかの態様によると、新規（非レガシー）ＳＴＡがレガシープリアンブルの範囲外にあるとき、それらのＳＴＡのための復号規則が使われ得る。たとえば、レガシープリアンブルの範囲外にある新規ＳＴＡは、新規プリアンブル検出器を稼働し得るが、送信を開始する前に、少なくともレガシープリアンブルプラス新規プリアンブルＳＴＦである持続時間だけ待てばよい。新規プリアンブルＳＴＦが、この持続時間中での始動に成功した場合、新規ＳＴＡは、パケットの復号に進むことができる。
【００５９】
[0089]いくつかの態様によると、ＤＬ中で、ＡＰは、範囲を増大し、ユーザに対してデータまたはコントロールパケットを多重化するのに、新規プリアンブルとデータとを使うことができる。図９は、本開示のいくつかの態様による、２ユーザのＦＤＭ多重化を伴う、アップクロックされた１１ａｈ  ２ＭＨｚプリアンブル９０２ａ、９０２ｂに付加されるとともに、データ４２６が続くレガシー２０ＭＨｚプリアンブル４０６、４０８、４１０の例示的な構造を示す。
【００６０】
[0090]いくつかのシナリオにおいて、ＡＰは、ＳＴＡよりも大きい送信電力を使って送信することができる（すなわち、範囲はＵＬ限定される）。いくつかの態様によると、媒体がＡＰによって予約されていると仮定すると、ＳＴＡは、アップクロックされた１１ａｈプリアンブルとデータとのみを送信することができる。ＡＰによる媒体予約は、たとえば、ＣＴＳ−ｔｏ−Ｓｅｌｆメッセージを使って、または先行ＤＬデータによって行われ得る。図１０は、本開示のいくつかの態様による、ＤＬデータおよびＵＬ  ＡＣＫを伴う例示的な送信シーケンス１０００を示す。たとえば、図１０に示すように、ＤＬデータは、レガシー１１ｎ／ａｃ／ｇ／ａプリアンブル１００２と一緒にあってよく、ＵＬ  ＡＣＫは、５ｘだけアップクロックされた１１ａｈ  ２ＭＨｚ  ＡＣＫ１００４と一緒にあってよい、
[0091]１１ａｃにおいて、メイＡＰは、マルチユーザ（ＭＵ）多重入出力（ＭＩＭＯ）を使って、Ｎ個のＳＴＡへの送信を行う。いくつかの態様によると、媒体がＡＰによって予約されていると仮定すると、Ｎ個のＳＴＡは、アップクロックされた１１ａｈプリアンブルとデータとのみを同時に送信することができる。ＡＰによる媒体予約は、ＣＴＳ−ｔｏ−Ｓｅｌｆメッセージまたは先行ＤＬデータを使って行われ得る。図１１は、本開示のいくつかの態様による、ＤＬデータおよびＵＬ  ＡＣＫを伴う例示的な送信シーケンス１１００を示す。たとえば、図１１に示すように、ＤＬデータは、２ユーザへのレガシー１１ａｃ  ＭＵ−ＭＩＭＯ  ＤＬ送信１１０２と一緒にあってよく、ＵＬ  ＡＣＫは、５ｘだけアップクロックされた１１ａｈ  ２ＭＨｚ  ＡＣＫ１１０４ａ、１１０４ｂと一緒にあってよい。
【００６１】
[0092]図１２は、本開示のいくつかの態様による、ワイヤレス通信のための例示的な動作１２００を示す。動作１２００は、たとえば、ＡＰ（たとえば、ＡＰ１１０）によって実施され得る。動作１２００は、１２０，２で、第１のタイプのデバイス（たとえば、第１の能力セットを有するレガシーデバイス）および第２のタイプのデバイス（たとえば、機能の、第２の拡張セットを有する非レガシーデバイス）によって復号可能な第１のプリアンブル（たとえば、レガシープリアンブル）と、第２のタイプのデバイスによって復号可能であるが、第１のタイプのデバイスによって復号可能でない第２のプリアンブル（たとえば、新規プリアンブル）と、データとを備えるパケットを生成することによって開始し得る。いくつかの態様によると、第１のプリアンブルは、第１の規格によって定義された第１のフォーマットであってよく、第２のプリアンブルは、第２のチャネル帯域幅での送信用に、第２の規格によって定義された第２のフォーマットであってよい。第２のフォーマットの第２のプリアンブルは、第１のフォーマットの第１のプリアンブルよりも大きいチャネル遅延拡散をサポートし得る。
【００６２】
[0093]いくつかの態様によると、ＡＰは、第２のプリアンブルとデータとを送信するのに使うための、第１のチャネル帯域幅内の少なくとも１つのオフセット位置を決定することができる。たとえば、ＡＰは、ＦＤＭ方式に基づいて、第２のプリアンブルとデータとを第１の装置に送信するための第１のオフセット位置を決定することができ、ＦＤＭ方式に基づいて、第２のプリアンブルとデータとを第２の装置に送信するための第２のオフセット位置を決定することができる。
【００６３】
[0094]１２０４で、ＡＰはパケットを送信することができ、ここにおいて、第１のプリアンブルは第１のチャネル帯域幅を使って送信され、第２のプリアンブルおよびデータは、第１のチャネル帯域幅の一部分のみを使って送信される。いくつかの態様によると、第２のプリアンブルおよびデータは、定義された第２のチャネル帯域幅よりも大きいチャネル帯域幅を使って、アップクロック方式で送信され得る。たとえば、第２のプリアンブルおよびデータは、第２のチャネル帯域幅の倍数であるチャネル帯域幅を使って送信され得る。
【００６４】
[0095]図１３は、本開示のいくつかの態様による、ワイヤレス通信のための例示的な動作１３００を示す。動作１３００は、たとえば、局（たとえば、ユーザ端末１２０）によって実施され得る。動作１３００は、１３０２で、第１のタイプのデバイスおよび第２のタイプのデバイスによって復号可能な第１のプリアンブルを備える、第２の装置から送信された第１のパケットを、第１の装置によって検出することによって開始し得る。
【００６５】
[0096]１３０４で、局は、検出に応答して、第２のタイプのデバイスによって復号可能だが、第１のタイプのデバイスによって復号可能でない第２のプリアンブルと、データとを備える第２のパケットを生成することができ、
[0097]１３０６で、局は、第２の装置に第２のパケットを送信することができ、ここにおいて、第１のプリアンブルは第１のチャネル帯域幅を使って送信され、第２のプリアンブルおよびデータは、第１のチャネル帯域幅の一部分のみを使って送信される。
【００６６】
[0098]いくつかの態様に従って、検出されたパケットは、第２のパケットの送信を許可することによって、ＡＰによって一定の持続時間だけ媒体を予約することができる。第１のパケットは、複数のユーザをターゲットにするＭＵ送信であってよく、複数のユーザは、持続時間中に送信を行うことができる。
【００６７】
[0099]いくつかの態様によると、ＳＴＡは、第２のプリアンブルプラスデータを送信するのに使うための、第１のチャネル帯域幅内のオフセット位置を決定することができる。複数のオフセット位置が、異なるデバイスに割り当てられ得る。
【００６８】
[0100]図１４は、本開示のいくつかの態様による、ワイヤレス通信のための例示的な動作１４００を示す。動作１４００は、たとえば、局（たとえば、ユーザ端末１２０）によって実施され得る。動作１４００は、１４０２で、第１のタイプのデバイスおよび第２のタイプのデバイスによって復号可能な第１のプリアンブルと、第２のタイプのデバイスによって復号可能だが、第１のタイプのデバイスによって復号可能でない第２のプリアンブルと、データとを備えるパケットを受信することによって開始することができ、ここにおいて、第１のプリアンブルは第１のチャネル帯域幅を使って送信され、第２のプリアンブルおよびデータは、第１のチャネル帯域幅の一部分のみを使って送信される。１４０４で、局はパケットを処理することができる。
【００６９】
[0101]図１５は、本開示のいくつかの態様による、ワイヤレス通信のための例示的な動作１５００を示す。動作１５００は、たとえば、ＡＰ（たとえば、ＡＰ１１０）によって実施され得る。動作１５００は、１５０２で、デバイスに第１のパケットを送信することによって開始することができ、第１のパケットは、第１のタイプのデバイスおよび第２のタイプのデバイスによって復号可能な第１のプリアンブルを備える。１５０４で、アクセスポイントは、第２のタイプのデバイスによって復号可能だが、第１のタイプのデバイスによって復号可能でない第２のプリアンブルと、データとを備える第２のパケットを、デバイスから受信することができ、ここにおいて、第１のプリアンブルは、第１のチャネル帯域幅を使って装置から送信され、第２のプリアンブルおよびデータは、第１のチャネル帯域幅の一部分のみを使って送信される。
【００７０】
[0102]図１６は、本開示のいくつかの態様による、ワイヤレス通信のための例示的な動作１６００を示す。動作１６００は、たとえば、ＡＰ（たとえば、ＡＰ１１０）によって実施され得る。動作１６００は、１６０２で、プリアンブルとデータとを備えるパケットを生成することによって開始することができ、ここにおいて、プリアンブルは、第１のチャネル帯域幅での送信用に定義されたフォーマットのものである。１６０４で、アクセスポイントは、少なくとも１つの他の装置にパケットを送信することができ、ここにおいて、プリアンブルおよびデータは、第１のチャネル帯域幅よりも大きいチャネル帯域幅を使って、アップクロック方式で送信される。
【００７１】
[0103]図１７は、本開示のいくつかの態様による、ワイヤレス通信のための例示的な動作１７００を示す。動作１７００は、たとえば、局（たとえば、ユーザ端末１２０）によって実施され得る。動作１７００は、１７０２で、プリアンブルとデータとを備えるパケットを受信することによって開始することができ、ここにおいて、プリアンブルは、第１のチャネル帯域幅での送信用に定義されたフォーマットのものである、ならびにここにおいて、プリアンブルおよびデータは、第１のチャネル帯域幅よりも大きいチャネル帯域幅を使って、アップクロック方式で送信される。１７０４で、局はパケットを復号することができる。
【００７２】
[0104]いくつかの態様によると、アップクロック方式で、より低い周波数用に設計されたフォーマットを使うことによって、新規プリアンブルおよびデータをもつパケットを送信するのではなく、同様の手法が、ダウンクロックされた方式で、より高い周波数用に設計されたプリアンブルフォーマットを送信することによってとられ得る。そのようなケースにおいて、そのようなパケットのプリアンブルは、レガシープリアンブルと後方互換であってよく、たとえば、レガシーデバイス（８０２．１１ａ／ｇ／ｎ／ａｃデバイス）が、プリアンブルを復号し、送信の残りが終わるまで延期できるようにする。
【００７３】
[0105]いくつかの態様によると、これは、たとえば、図１８に示すように、レガシー（たとえば、２０ＭＨｚ）プリアンブル４０６、４０８、４１０に、データ４２６が続く、（たとえば、２ｘ〜１０ｘの倍率だけ）ダウンクロックされた１１ａ／ｇ／ｎ／ａｃプリアンブル１８０２を付加することによって遂行され得る。レガシープリアンブルに続くそのようなダウンクロックされた波形の有効帯域幅は、したがって、ダウンクロック倍率に依存して、２ＭＨｚ〜１０ＭＨｚのどこにあってもよい。すでに上述した例示的なフォーマットと同様、図１８の上部に示されているが、ダウンクロックされた新規プリアンブル１８０２およびデータ４２６の周波数領域配置は、複数のユーザのＦＤＭを可能にし得るすべての可能オフセット（たとえば、最高、中央、または最低）を含み得る（たとえば、図１９および図２１に示すように）。いくつかのケースでは、レガシープリアンブル送信は随意であってよい。
【００７４】
[0106]図１８〜図２１は、図８〜図１１に示したものに類似しているが、アップクロッキングではなくダウンクロッキングが使われる、例示的なパケット構造１８００、１９００、２０００、２１０００を示す。図示されるように、アップクロックされた８０２．１１ａｈプリアンブルプラスデータの使用ではなく、これらの構造は、ダウンクロックされた８０２．１１ｎ／ａ／ｇ／ａｃプリアンブルフォーマットを使い得る。図１９に示すように、複数のユーザが、ＦＤＭ方式により多重化され得る。図２０に示すように、媒体は、ＳＴＡによって送られた、ダウンクロックされたＡＣＫ２００４が続くＣＴＳ−ｔｏ−ＳＥＬＦメッセージで（または先行ＤＬデータ送信２００２によって）予約され得る。図２１に示すように、ＤＬ  ＭＵ−ＭＩＭＯの場合、複数のユーザが、帯域幅の異なる部分（たとえば、最高、中央、または最低）を使って、ダウンクロックされたＡＣＫ２１０２ａ、２１０２ｂを送り得る。
【００７５】
[0107]８０２．１１ａｃにおいて、ＡＰは、通常のキャリア検知多元接続（ＣＳＭＡ）プロトコルを使って、複数（たとえば、Ｎ個）のＳＴＡに送信をすることができる。いくつかの態様によると、媒体がＡＰによって予約されていると仮定すると、Ｎ個のＳＴＡは、アップクロックされた１１ａｈプリアンブルおよびデータ（たとえば、ＡＣＫ）または「ダウンクロックされた１１ｎ／ａ／ｇ／ａｃプリアンブルおよびデータ（たとえば、ＡＣＫ）を同時に送信し得る。上述したように、ＡＰによる媒体予約は、ＣＴＳ−ｔｏ−Ｓｅｌｆメッセージまたは先行ＤＬデータを使って行われ得る。ＤＬデータおよびＵＬ  ＡＣＫを伴う例示的な送信シーケンス２２００Ａ、２２００Ｂが、図２２Ａおよび図２２Ｂに示されている。たとえば、図２２Ａは、複数のユーザ向けの、アップクロックされた１１ａｈプリアンブル２２０２Ａａ、２２０２Ａｂおよびデータの使用を示し、図２２Ｂは、複数のユーザ向けの、ダウンクロックされた１１ｎ／ａ／ｇ／ａｃプリアンブル２２０２Ｂａ、２２０２Ｂｂおよびデータ、ならびにＣＴＳ−ｔｏ−Ｓｅｌｆメッセージ２２０４Ｂの使用を示す。
【００７６】
[0108]いくつかの態様によると、ＡＰは、ＣＴＳ−ｔｏ−Ｓｅｌｆメッセージを使って媒体を予約することができ、その後、ＵＬ送信は、ダウンクロックされた１１ｎ／ａ／ｇ／ａｃプリアンブルおよびデータ（たとえば、ＡＣＫ、ＰＳポール、トランスポート制御プロトコル（ＴＣＰ）−ＡＣＫ）をもつＯＦＤＭＡを使ってスケジュールされ得る。ＤＬ  ＣＴＳ−ｔｏ−Ｓｅｌｆ２３０２およびＵＬ  ＡＣＫ２３０４ａ、２３０４ｂを伴う例示的な送信シーケンス２３００が、図２３に示されている。
【００７７】
[0109]同様に、ＡＰは、ＣＴＳ−ｔｏ−Ｓｅｌｆ、メッセージ２４０２を使って媒体を予約することができ、その後、ＵＬ送信は、複数のユーザからの、ダウンクロックされた１１ｎ／ａ／ｇ／ａｃプリアンブルおよびデータ２４０４ａ、２４０４ｂ、２４０４ｃ、２４０４ｄ（たとえば、ＡＣＫ、ＰＳポール、ＴＣＰ−ＡＣＫ）を伴うＯＦＤＭＡとＵＬ  ＭＵ−ＭＩＭＯとを使ってスケジュールされる。ＤＬ  ＣＴＳ−ｔｏ−ＳｅｌｆおよびＭＵ−ＭＩＭＯ  ＵＬ  ＡＣＫ（複数のユーザから送られた）を伴う、例示的な一連のそのような送信が、図２４に示されている。
【００７８】
屋外展開のための提案されるＰＨＹ変化
[0110]いくつかのケースでは、ワイヤレスオペレータは、ワイヤレスローカルエリアネットワーク（ＷＬＡＮ）を使って、ワイドエリアワイヤレスネットワーク（ＷＷＡＮ）トラフィックをオフロードしようとする場合がある。たとえば、これは、トラフィックをオフロードするために、既存のロングタームエボリューション（ＬＴＥ）ピコセルに、ＷｉＦｉを追加することによって行われ得る。そのようなピコおよびＷｉＦｉ基地局（ＢＳ）は、高いアンテナ仰角を有する場合があり、２．４ＧＨｚおよび５ＧＨｚ帯域中で、３０ｄＢｍ（３６ｄＢｍ）伝導電力（たとえば、実効等方放射電力（ＥＩＲＰ））のＦＣＣ  ｍａｘで送信をすることができる。そのような展開のための例示的なパラメータが、図２５に示されている。
【００７９】
[0111]そのような場所からの測定値は、最大３μｓの遅延拡散（スパン）を報告し得る。さらに、クライアントは、限られた送信電力（たとえば、一般に２０ｄＢｍ）を有する場合があり、したがって、ＵＬに近づくことを要求され得る。本開示の態様は、遅延拡散許容差を改善し、ＵＬに近づくことができる方式を提供する。たとえば、上で論じた機構のうちのいくつかを使うと、比較的軽微な実装変更で達成され得る。
【００８０】
[0112]図２６は、本開示のいくつかの態様による例示的な送信シーケンス２６００を示す。いくつかの態様によると、ダウンリンク（ＤＬ）送信可（ＣＴＳ）−ｔｏ−Ｓｅｌｆメッセージ２６０２は、アップリンク（ＵＬ）肯定応答（ＡＣＫ）（従来の２０ＭＨＺ  ＵＬ  ＡＣＫ２６０６として送られ得る）が続く、後続ＤＬ送信（たとえば、ダウンクロックされた８０２．１１ａｃ送信２６０４として送信される）用のＮＡＶで媒体を保護することができる。ＤＬ  ＣＴＳ２６０２に対しては、堅牢な変調およびコーディング方式（たとえば、ＭＣＳ０）が、遅延拡散が増大しても復号可能であると想定され得る。この例では、クライアント受信機局（ＳＴＡ）は、ダウンクロックされたＤＬ送信の存在を検出するのに、４ｘだけダウンクロックされた８０ＭＨｚプリアンブル検出器を稼働することができる。
【００８１】
[0113]図２７は、本開示のいくつかの態様による、ダウンクロッキング方式で使用される別の例示的な送信シーケンス２７００を示す。いくつかの態様によると、送信要求（ＲＴＳ）−ＣＴＳメッセージ２７０２が、ＵＬ  ＡＣＫ（たとえば、ダウンクロックされた２０ＭＨＺ  ＵＬ  ＡＣＫ２７０６として送られる）が続く、後続ＤＬ送信（たとえば、ダウンクロックされた８０２．１１ａｃ送信２７０４として送信される）用のＮＡＶで媒体を保護することができる。ＤＬ  ＣＴＳ２７０２に対しては、堅牢な変調およびコーディング方式（たとえば、ＭＣＳ０）が、遅延拡散が増大しても復号可能であると想定され得る。やはり、クライアント受信機ＳＴＡは、ダウンクロックされたＤＬ送信の存在を検出するのに、４ｘだけダウンクロックされた８０ＭＨｚプリアンブル検出器を稼働することができる。
【００８２】
[0114]図２８は、本開示のいくつかの態様による、ダウンクロッキング方式で使用される例示的な送信シーケンス２８００を示す。いくつかの態様によると、ＤＬ  ＣＴＳ−ｔｏ−Ｓｅｌｆメッセージ２８０２は、ＵＬ  ＡＣＫ（ダウンクロックされた２０ＭＨＺ  ＵＬ  ＡＣＫ２８０６として送られ得る）が続く、後続ＤＬ送信（たとえば、ダウンクロックされた８０２．１１ａｃ送信２８０４として送信される）用のＮＡＶで媒体を保護することができる。ＤＬ  ＣＴＳ２８０２に対しては、堅牢な変調およびコーディング方式（たとえば、ＭＣＳ０）が、遅延拡散が増大しても復号可能であると想定され得る。
【００８３】
[0115]したがって、クライアント受信機ＳＴＡは、ダウンクロックされたＤＬ送信の存在を検出するのに、（たとえば、４ｘだけ）ダウンクロックされた８０ＭＨｚプリアンブル検出器を稼働することができる。同様に、ＡＰ受信機ＳＴＡは、ダウンクロックされたＡＣＫ送信の存在を検出するのに、（たとえば、４ｘだけ）ダウンクロックされた２０ＭＨｚプリアンブル検出器を稼働することができる。
【００８４】
[0116]図２９は、本開示のいくつかの態様による、ダウンクロッキング方式で使用される別の例示的な送信シーケンス２９００を示す。やはり、ＲＴＳ−ＣＴＳ２９０２は、後続ＤＬ送信（たとえば、ダウンクロックされた８０２．１１ａｃ送信２９０４として送信される）用のＮＡＶで媒体を保護することができるが、この例では、ＣＴＳは、（たとえば、４ｘだけ）ダウンクロックされ得る。やはり、ＤＬ送信には、ＵＬ  ＡＣＫ（たとえば、ダウンクロックされた２０ＭＨＺ  ＵＬ  ＡＣＫ２９０６として送られる）が続き得る。ＤＬ  ＣＴＳに対しては、堅牢な変調およびコーディング方式（たとえば、ＭＣＳ０）が、遅延拡散が増大しても復号可能であると想定され得る。この例では、クライアント受信機ＳＴＡは、ダウンクロックされたＤＬ送信の存在を検出するのに、４ｘだけダウンクロックされた８０ＭＨｚプリアンブル検出器を稼働することができる。ＡＰ受信機ＳＴＡは、ダウンクロックされたＡＣＫ送信の存在を検出するのに、４ｘだけダウンクロックされた２０ＭＨｚプリアンブル検出器を稼働することができる。
【００８５】
[0117]いくつかの態様によると、ＵＬ  ＡＣＫは、追加ノイズ削減利得を取得するとともにアップリンクに近づくように、他の倍率（たとえば、８ｘ）だけダウンクロックされてよい。いずれの場合にも、ＵＬ  ＡＣＫ用に提案されている、提案ダウンクロッキング技法は、ＰＳポールなど、他のＵＬ送信を送るためにも使うことができる。したがって、ＡＰ受信機ＳＴＡは、たとえば、４ｘだけダウンクロックされたＵＬ送信の存在を検出するために、たとえば、４ｘだけダウンクロックされた２０ＭＨｚプリアンブル検出器を稼働することができる。
【００８６】
[0118]いくつかの態様によると、ＣＴＳ−ｔｏ−ｓｅｌｆメッセージは随意であってよい。いくつかのケースでは、ＣＴＳ−ｔｏ−ｓｅｌｆなどの送信は、ダウンクロックされた送信の存在について新規（非レガシー）ＳＴＡにシグナリングするための組込みビットを運ぶこともできる。たとえば、ダウンクロックされた送信の存在は、ＲＴＳまたはＣＴＳ中のスクランブリングシード（ビット）により示され得る。ダウンクロッキングは、管理フレーム交換を使って（たとえば、「動作モード通知」により）、ＳＴＡ単位でも有効にされ得る。
【００８７】
[0119]上記で説明した方法の様々な動作は、対応する機能を実行することが可能な任意の好適な手段によって実行され得る。それらの手段は、限定はしないが、回路、特定用途向け集積回路（ＡＳＩＣ）、またはプロセッサを含む、様々な（１つまたは複数の）ハードウェアおよび／またはソフトウェア構成要素および／またはモジュールを含み得る。一般に、図に示す動作がある場合、それらの動作は、同様の番号をもつ対応するカウンターパートのミーンズプラスファンクション構成要素を有し得る。たとえば、図１２、図１３、図１４、図１５、図１６および図１７に示す動作１２００、１３００、１４００、１５００、１６００および１７００は、図１２Ａ、図１３Ａ、図１４Ａ、図１５Ａ、図１６Ａおよび図１７Ａに示す手段１２００Ａ、１３００Ａ、１４００Ａ、１５００Ａ、１６００Ａおよび１７００Ａに対応する。
【００８８】
[0120]たとえば、送信するための手段は、図２に示すアクセスポイント１１０の送信機ユニット２２２、図２に示すユーザ端末１２０の送信機ユニット２５４、または図３に示すワイヤレスデバイス３０２の送信機３１０などの送信機を備え得る。受信するための手段は、図２に示すアクセスポイント１１０の受信機ユニット２２２、図２に示すユーザ端末１２０の受信機ユニット２５４、または図３に示すワイヤレスデバイス３０２の受信機３１２などの受信機を備え得る。処理するための手段、決定するための手段、改変するための手段、生成するための手段、訂正するための手段、および／またはチェックするための手段は処理システムを備えてよく、処理システムは、図２に示すユーザ端末１２０のＲＸデータプロセッサ２７０および／またはコントローラ２８０、あるいはアクセスポイント１１０のＲＸデータプロセッサ２４２および／またはコントローラ２３０など、１つまたは複数のプロセッサを含み得る。
【００８９】
[0121]本明細書で使用する「決定」という用語は、多種多様なアクションを包含する。たとえば、「決定」は、算出、計算、処理、導出、調査、探索（たとえば、テーブル、データベース、または別のデータ構造での探索）、確認などを含むことができる。また、「決定」は、受信（たとえば、情報を受信すること）、アクセス（たとえば、メモリ中のデータにアクセスすること）などを含むことができる。また、「決定」は、解決、選択、選出、確立などを含むことができる。
【００９０】
[0122]本明細書で使用する、項目のリスト「のうちの少なくとも１つ」を指す句は、単一のメンバーを含む、それらのアイテムの任意の組合せを指す。一例として、「ａ、ｂ、またはｃのうちの少なくとも１つ」は、ａ、ｂ、ｃ、ａ〜ｂ、ａ〜ｃ、ｂ〜ｃ、およびａ〜ｂ〜ｃをカバーするものとする。
【００９１】
[0123]本開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、個別ゲートまたはトランジスタ論理、個別ハードウェア構成要素、あるいは本明細書で説明した機能を実行するように設計されたそれらの任意の組合せを用いて実装または実行できる。汎用プロセッサはマイクロプロセッサであり得るが、代替として、プロセッサは、任意の市販のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装することもできる。
【００９２】
[0124]本開示に関連して説明した方法またはアルゴリズムのステップは、直接ハードウェアか、プロセッサによって実行されるソフトウェアモジュールか、またはその２つの組合せで実施できる。ソフトウェアモジュールは、当技術分野で知られている任意の形式の記憶媒体中に常駐することができる。使用できる記憶媒体のいくつかの例には、ランダムアクセスメモリ（ＲＡＭ）、読取り専用メモリ（ＲＯＭ）、フラッシュメモリ、ＥＰＲＯＭメモリ、ＥＥＰＲＯＭ（登録商標）メモリ、レジスタ、ハードディスク、リムーバブルディスク、ＣＤ−ＲＯＭなどがある。ソフトウェアモジュールは、単一の命令、または多数の命令を備えることができ、いくつかの異なるコードセグメント上で、異なるプログラム間で、および複数の記憶媒体にわたって分散できる。記憶媒体は、プロセッサがその記憶媒体から情報を読み取ることができ、その記憶媒体に情報を書き込むことができるように、プロセッサに結合できる。代替として、記憶媒体はプロセッサに一体化することができる。
【００９３】
[0125]本明細書で開示する方法は、説明した方法を達成するための１つまたは複数のステップまたはアクションを備える。方法のステップおよび／またはアクションは、特許請求の範囲から逸脱せずに互いに交換される可能性がある。言い換えれば、ステップまたはアクションの特定の順序が指定されない限り、特定のステップおよび／またはアクションの順序および／または使用は特許請求の範囲から逸脱することなく変更できる。
【００９４】
[0126]説明した機能は、ハードウェア、ソフトウェア、ファームウェア、またはそれらの組合せで実装できる。ハードウェアで実装される場合、例示的ハードウェア構成は、ワイヤレスノード内の処理システムを備え得る。処理システムは、バスアーキテクチャを使って実装され得る。バスは、処理システムの特定の適用例および全体的な設計制約に応じて、任意の数の相互接続バスおよびブリッジを含み得る。そのバスは、プロセッサと、機械可読媒体と、バスインターフェースとを含む様々な回路を互いにリンクし得る。バスインターフェースは、ネットワークアダプタを、特に、バスを介して処理システムに接続するのに使われ得る。ネットワークアダプタは、ＰＨＹ層の信号処理機能を実装するのに使われ得る。ユーザ端末１２０（図１参照）の場合、ユーザインターフェース（たとえば、キーパッド、ディスプレイ、マウス、ジョイスティックなど）をバスに接続することもできる。バスは、タイミングソース、周辺機器、電圧調整器、電力管理回路など様々な他の回路をリンクさせることも可能であり、これは当技術分野ではよく知られているので、これ以上説明しない。
【００９５】
[0127]プロセッサは、機械可読媒体に格納されたソフトウェアの実行を含む、バスおよび一般的な処理を管理することを担当し得る。プロセッサは、１つまたは複数の汎用および／または専用プロセッサを用いて実装することができる。例としては、マイクロプロセッサ、マイクロコントローラ、ＤＳＰプロセッサ、およびソフトウェアを実行できる他の回路がある。ソフトウェアは、ソフトウェア、ファームウェア、ミドルウェア、マイクロコード、ハードウェア記述言語などの名称にかかわらず、命令、データ、またはそれらの組合せを意味すると広く解釈されたい。機械可読媒体は、例として、ＲＡＭ（ランダムアクセスメモリ）、フラッシュメモリ、ＲＯＭ（読取り専用メモリ）、ＰＲＯＭ（プログラマブル読取り専用メモリ）、ＥＰＲＯＭ（消去可能プログラマブル読取り専用メモリ）、ＥＥＰＲＯＭ（電気消去可能プログラマブル読取り専用メモリ）、レジスタ、磁気ディスク、光ディスク、ハードドライブ、もしくは他の適切な記憶媒体、またはそれらの任意の組合せを含むことができる。機械可読媒体はコンピュータプログラム製品に具現化され得る。コンピュータプログラム製品は、実装材料を備え得る。
【００９６】
[0128]ハードウェア実装形態では、機械可読媒体は、処理システムの一部であるか、またはプロセッサとは別個であり得る。しかしながら、当業者なら容易に理解するように、機械可読媒体またはその任意の部分は処理システムの外部に存在することができる。例として、機械可読媒体は、すべてバスインターフェースを介してプロセッサがアクセスし得る、送信線路、データによって変調された搬送波、および／またはワイヤレスノードとは別個のコンピュータ製品を含み得る。代替的または追加的に、機械可読媒体またはその任意の部分は、キャッシュおよび／または汎用レジスタファイルがそうであるようにプロセッサに統合することができる。
【００９７】
[0129]処理システムは、すべて外部バスアーキテクチャを介して他のサポート回路と互いにリンクされる、プロセッサ機能を与える１つまたは複数のマイクロプロセッサと、機械可読媒体の少なくとも一部を与える外部メモリとをもつ汎用処理システムとして構成することができる。代替的に、処理システムは、プロセッサをもつＡＳＩＣ（特定用途向け集積回路）と、バスインターフェースと、アクセス端末の場合はユーザインターフェースと、サポート回路と、単一のチップに統合された機械可読媒体の少なくとも一部分とを用いて、あるいは１つまたは複数のＦＰＧＡ（フィールドプログラマブルゲートアレイ）、ＰＬＤ（プログラマブル論理デバイス）、コントローラ、状態機械、ゲート論理、個別ハードウェア構成要素、もしくは他の適切な回路、または本開示全体にわたって説明する様々な機能を実行することができる回路の任意の組合せを用いて、実装され得る。当業者なら、特定の適用例および全体的なシステムに課される全体的な設計制約に応じて、どのようにしたら処理システムについて説明した機能を最も良く実装できるかを理解されよう。
【００９８】
[0130]機械可読媒体は、いくつかのソフトウェアモジュールを備え得る。ソフトウェアモジュールは、プロセッサによって実行されたときに、処理システムに様々な機能を実行させる命令を含む。ソフトウェアモジュールは、送信モジュールと受信モジュールとを含み得る。各ソフトウェアモジュールは、単一の記憶デバイス内に存在することができ、または複数の記憶デバイスに分散することができる。例として、トリガイベントが発生したときに、ソフトウェアモジュールをハードドライブからＲＡＭにロードすることができる。ソフトウェアモジュールの実行中、プロセッサは、アクセス速度を高めるために、命令のいくつかをキャッシュにロードすることができる。次いで、１つまたは複数のキャッシュラインを、プロセッサによる実行のために汎用レジスタファイルにロードすることができる。以下でソフトウェアモジュールの機能に言及する場合、そのような機能は、そのソフトウェアモジュールからの命令を実行したときにプロセッサによって実装されることが理解されよう。
【００９９】
[0131]ソフトウェアで実装する場合、機能は、１つまたは複数の命令またはコードとしてコンピュータ可読媒体上に記憶するか、あるいはコンピュータ可読媒体を介して送信することができる。コンピュータ可読媒体は、ある場所から別の場所へのコンピュータプログラムの転送を容易にする任意の媒体を含む、コンピュータ記憶媒体とコンピュータ通信媒体の両方を含む。記憶媒体は、コンピュータによってアクセスできる任意の利用可能な媒体とすることができる。限定ではなく例として、そのようなコンピュータ可読媒体は、ＲＡＭ、ＲＯＭ、ＥＥＰＲＯＭ、ＣＤ−ＲＯＭ、あるいは他の光ディスクストレージ、磁気ディスクストレージまたは他の磁気記憶デバイス、もしくは命令またはデータ構造の形態の所望のプログラムコードを搬送または記憶するために使用でき、コンピュータによってアクセスできる任意の他の媒体を備えることができる。さらに、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線（ＩＲ）、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用されるとき、ディスク（ｄｉｓｋ）とディスク（ｄｉｓｃ）とは、コンパクトディスク（ｃｏｍｐａｃｔ  ｄｉｓｃ）（ＣＤ）と、レーザディスク（登録商標）（ｌａｓｅｒ  ｄｉｓｃ）と、光ディスク（ｏｐｔｉｃａｌ  ｄｉｓｃ）と、デジタルバーサタイルディスク（ｄｉｇｉｔａｌ  ｖｅｒｓａｔｉｌｅ  ｄｉｓｃ）（ＤＶＤ）と、フロッピー（登録商標）ディスク（ｆｌｏｐｐｙ  ｄｉｓｋ）と、ブルーレイ（登録商標）ディスク（Ｂｌｕ−ｒａｙ（登録商標）  ｄｉｓｃ）とを含み、ディスク（ｄｉｓｋ）が、通常、磁気的にデータを再生する一方、ディスク（ｄｉｓｃ）は、レーザを用いて光学的にデータを再生する。したがって、いくつかの態様では、コンピュータ可読媒体は一時的でないコンピュータ可読媒体（たとえば、有形媒体）を備え得る。さらに、他の態様では、コンピュータ可読媒体は、一時的なコンピュータ可読媒体（たとえば、信号）を備え得る。上記の組合せもコンピュータ可読媒体の範囲内に含めるべきである。
【０１００】
[0132]したがって、いくつかの態様は、本明細書で提示する動作を実行するためのコンピュータプログラム製品を備え得る。たとえば、そのようなコンピュータプログラム製品は、本明細書で説明する動作を実行するために１つまたは複数のプロセッサによって実行可能である命令をその上に記憶した（および／または符号化した）コンピュータ可読媒体を備え得る。いくつかの態様では、コンピュータプログラム製品はパッケージング材料を含み得る。
【０１０１】
[0133]さらに、本明細書に記載の方法および技法を実行するためのモジュールおよび／または他の適切な手段は、適用可能な場合にユーザ端末および／または基地局によってダウンロードおよび／または他の方法で取得できることを諒解されたい。たとえば、そのようなデバイスは、本明細書で説明する方法を実施するための手段の転送を容易にするために、サーバに結合することができる。代替的に、本明細書で説明される様々な方法は、ユーザ端末および／または基地局がストレージ手段をデバイスに結合するかまたは与えると様々な方法を得ることができるように、ストレージ手段（たとえば、ＲＡＭ、ＲＯＭ、コンパクトディスク（ＣＤ）またはフロッピーディスクなど物理記憶媒体など）によって提供できる。さらに、本明細書で説明する方法および技法をデバイスに与えるための任意の他の適切な技法を利用することができる。
【０１０２】
[0134]特許請求の範囲は、上記に示した正確な構成および構成要素に限定されないことを理解されたい。上記の方法および装置の構成、動作および詳細において、特許請求の範囲から逸脱することなく、様々な改変、変更および変形を行うことができる。
【図１】
2016509808.tif 000003
【図２】
2016509808.tif 000004
【図３】
2016509808.tif 000005
【図４】
2016509808.tif 000006
【図５】
2016509808.tif 000007
【図６】
2016509808.tif 000008
【図７】
2016509808.tif 000009
【図８】
2016509808.tif 000010
【図９】
2016509808.tif 000011
【図１０】
2016509808.tif 000012
【図１１】
2016509808.tif 000013
【図１２】
2016509808.tif 000014
【図１２Ａ】
2016509808.tif 000015
【図１３】
2016509808.tif 000016
【図１３Ａ】
2016509808.tif 000017
【図１４】
2016509808.tif 000018
【図１４Ａ】
2016509808.tif 000019
【図１５】
2016509808.tif 000020
【図１５Ａ】
2016509808.tif 000021
【図１６】
2016509808.tif 000022
【図１６Ａ】
2016509808.tif 000023
【図１７】
2016509808.tif 000024
【図１７Ａ】
2016509808.tif 000025
【図１８】
2016509808.tif 000026
【図１９】
2016509808.tif 000027
【図２０】
2016509808.tif 000028
【図２１】
2016509808.tif 000029
【図２２Ａ】
2016509808.tif 000030
【図２２Ｂ】
2016509808.tif 000031
【図２３】
2016509808.tif 000032
【図２４】
2016509808.tif 000033
【図２５】
2016509808.tif 000034
【図２６】
2016509808.tif 000035
【図２７】
2016509808.tif 000036
【図２８】
2016509808.tif 000037
【図２９】
2016509808.tif 000038
【手続補正書】
【提出日】平成27年9月25日(2015.9.25)
【手続補正１】
【補正対象書類名】特許請求の範囲
【補正対象項目名】全文
【補正方法】変更
【補正の内容】
【特許請求の範囲】
【請求項１】
ワイヤレス通信における範囲および遅延拡散の拡張のための装置であって、
第１のタイプのデバイスおよび第２のタイプのデバイスによって復号可能な第１のプリアンブルと、前記第２のタイプのデバイスによって復号可能だが、前記第１のタイプのデバイスによって復号可能でない第２のプリアンブルと、データとを備えるパケットを生成するように構成された処理システムと、
前記パケットを送信するように構成された送信機と、ここにおいて、前記第１のプリアンブルは第１のチャネル帯域幅を使って送信され、前記第２のプリアンブルおよびデータは、前記第１のチャネル帯域幅の一部分のみを使って送信される、を備える装置。
【請求項２】
前記第２のプリアンブルは、第１のフォーマットの前記第１のプリアンブルと比較して、より大きいチャネル遅延拡散をサポートすることができる第２のフォーマットのものである、請求項１に記載の装置。
【請求項３】
前記第１のプリアンブルは第１のフォーマットのものであり、
前記第２のプリアンブルは、第２のチャネル帯域幅での送信に関連付けられた第２のフォーマットのものであり、ここにおいて、前記第１のチャネル帯域幅の前記一部分は前記第２のチャネル帯域幅よりも大きい、
前記送信機は、前記第２のチャネル帯域幅よりも大きいチャネル帯域幅を使って前記第２のプリアンブルとデータとをアップクロック方式で送信するようにさらに構成される、請求項１に記載の装置。
【請求項４】
前記第１のチャネル帯域幅の前記一部分は前記第２のチャネル帯域幅の倍数である、請求項３に記載の装置。
【請求項５】
前記処理システムは、前記第２のプリアンブルとデータとを送信するのに使うための、前記第１のチャネル帯域幅内の少なくとも１つの周波数オフセット位置を決定するようにさらに構成される、請求項１に記載の装置。
【請求項６】
前記決定することは、
周波数分割多重方式に基づいて、前記第２のプリアンブルとデータとを第１のタイプのデバイスに送信するための第１の周波数オフセット位置を決定することと、
前記周波数分割多重方式に基づいて、前記第２のプリアンブルとデータとを第２のタイプのデバイスに送信するための第２の周波数オフセット位置を決定することとを備える、請求項５に記載の装置。
【請求項７】
ワイヤレス通信における範囲および遅延拡散の拡張のための装置であって、
第１のタイプのデバイスおよび第２のタイプのデバイスによって復号可能な第１のプリアンブルを備える、第２の装置から送信された第１のパケットを検出し、前記検出に応答して、前記第２のタイプのデバイスによって復号可能だが、前記第１のタイプのデバイスによって復号可能でない第２のプリアンブルと、データとを備える第２のパケットを生成するように構成された処理システムと、
前記第２の装置に前記第２のパケットを送信するように構成された送信機と、ここにおいて、前記第１のプリアンブルは第１のチャネル帯域幅を使って送信され、前記第２のプリアンブルおよびデータは、前記第１のチャネル帯域幅の一部分のみを使って送信される、を備える装置。
【請求項８】
前記処理システムは、前記第１のパケットに基づいて、前記第２のパケットの送信を可能にする前記第２の装置によって媒体が予約されている持続時間を決定するように構成される、請求項７に記載の装置。
【請求項９】
前記第１のパケットは、複数のユーザをターゲットにするマルチユーザ送信を備え、
前記処理システムは、前記装置が、前記ターゲットにされた複数のユーザのうちの１つであると決定するようにさらに構成される、請求項８に記載の装置。
【請求項１０】
前記第１のプリアンブルは第１のフォーマットのものであり、
前記第２のプリアンブルは、第２のチャネル帯域幅での送信に関連付けられた第２のフォーマットのものであり、ここにおいて、前記第１のチャネル帯域幅の前記一部分は前記第２のチャネル帯域幅よりも大きい、
前記送信機は、前記第２のチャネル帯域幅よりも大きいチャネル帯域幅を使って前記第２のプリアンブルとデータとをアップクロック方式で送信するようにさらに構成される、請求項７に記載の装置。
【請求項１１】
前記第１のチャネル帯域幅の前記一部分は前記第２のチャネル帯域幅の倍数である、請求項１０に記載の装置。
【請求項１２】
前記処理システムは、前記第２のプリアンブルとデータとを送信するのに使うための、前記第１のチャネル帯域幅内の周波数オフセット位置を決定するようにさらに構成される、請求項７に記載の装置。
【請求項１３】
複数の周波数オフセット位置が、異なるデバイスに割り当てられ、
前記周波数オフセット位置を決定することは、前記装置に割り当てられた周波数オフセット位置を決定することを備える、請求項１２に記載の装置。
【請求項１４】
ワイヤレス通信における範囲および遅延拡散の拡張のための方法であって、
第１のタイプのデバイスおよび第２のタイプのデバイスによって復号可能な第１のプリアンブルと、前記第２のタイプのデバイスによって復号可能だが、前記第１のタイプのデバイスによって復号可能でない第２のプリアンブルと、データとを備えるパケットを生成することと、
前記パケットを送信することと、ここにおいて、前記第１のプリアンブルは第１のチャネル帯域幅を使って送信され、前記第２のプリアンブルおよびデータは、前記第１のチャネル帯域幅の一部分のみを使って送信される、を備える方法。
【請求項１５】
前記第２のプリアンブルは、第１のフォーマットの前記第１のプリアンブルと比較して、より大きいチャネル遅延拡散をサポートすることができる第２のフォーマットのものである、請求項１４に記載の方法。
【請求項１６】
前記第１のプリアンブルは第１のフォーマットのものであり、
前記第２のプリアンブルは、第２のチャネル帯域幅での送信に関連付けられた第２のフォーマットのものであり、ここにおいて、前記第１のチャネル帯域幅の前記一部分は前記第２のチャネル帯域幅よりも大きい、
前記方法は、前記第２のチャネル帯域幅よりも大きいチャネル帯域幅を使って前記第２のプリアンブルとデータとをアップクロック方式で送信することをさらに備える、請求項１４に記載の方法。
【請求項１７】
前記第１のチャネル帯域幅の前記一部分は前記第２のチャネル帯域幅の倍数である、請求項１６に記載の方法。
【請求項１８】
前記第２のプリアンブルとデータとを送信するのに使うための、前記第１のチャネル帯域幅内の少なくとも１つの周波数オフセット位置を決定することをさらに備える、請求項１４に記載の方法。
【請求項１９】
前記決定することは、
周波数分割多重方式に基づいて、前記第２のプリアンブルとデータとを第１のタイプのデバイスに送信するための第１の周波数オフセット位置を決定することと、
前記周波数分割多重方式に基づいて、前記第２のプリアンブルとデータとを第２のタイプのデバイスに送信するための第２の周波数オフセット位置を決定することとを備える、請求項１８に記載の方法。
【請求項２０】
ワイヤレス通信における範囲および遅延拡散の拡張のための方法であって、
第１のタイプのデバイスおよび第２のタイプのデバイスによって復号可能な第１のプリアンブルを備える、第２の装置から送信された第１のパケットを、第１の装置によって検出することと、
前記検出に応答して、前記第２のタイプのデバイスによって復号可能だが、前記第１のタイプのデバイスによって復号可能でない第２のプリアンブルと、データとを備える第２のパケットを生成することと、
前記第２の装置に前記第２のパケットを送信することと、ここにおいて、前記第１のプリアンブルは第１のチャネル帯域幅を使って送信され、前記第２のプリアンブルおよびデータは、前記第１のチャネル帯域幅の一部分のみを使って送信される、を備える方法。
【請求項２１】
前記第１のパケットに基づいて、前記第２のパケットの送信を可能にする前記第２の装置によって媒体が予約されている持続時間を決定することをさらに備える、請求項２０に記載の方法。
【請求項２２】
前記第１のパケットは、複数のユーザをターゲットにするマルチユーザ送信を備え、
前記第１の装置が、前記ターゲットにされた複数のユーザのうちの１つであると決定することをさらに備える、請求項２１に記載の方法。
【請求項２３】
前記第１のプリアンブルは第１のフォーマットのものであり、
前記第２のプリアンブルは、第２のチャネル帯域幅での送信に関連付けられた第２のフォーマットのものであり、ここにおいて、前記第１のチャネル帯域幅の前記一部分は前記第２のチャネル帯域幅よりも大きい、
前記第２のチャネル帯域幅よりも大きいチャネル帯域幅を使って前記第２のプリアンブルとデータとをアップクロック方式で送信することをさらに備える、請求項２０に記載の方法。
【請求項２４】
前記第１のチャネル帯域幅の前記一部分は前記第２のチャネル帯域幅の倍数である、請求項２３に記載の方法。
【請求項２５】
前記第２のプリアンブルとデータとを送信するのに使うための、前記第１のチャネル帯域幅内の周波数オフセット位置を決定することをさらに備える、請求項２０に記載の方法。
【請求項２６】
複数の周波数オフセット位置が、異なるデバイスに割り当てられ、
前記周波数オフセット位置を決定することは、前記第１の装置に割り当てられた周波数オフセット位置を決定することを備える、請求項２５に記載の方法。
【請求項２７】
実行されたとき、装置に請求項１４−２６の任意の前記方法を実行させる命令を備えるコンピュータ可読媒体を備える、ワイヤレス通信における範囲および遅延拡散の拡張のためのコンピュータプログラム製品。
【手続補正２】
【補正対象書類名】明細書
【補正対象項目名】０１０２
【補正方法】変更
【補正の内容】
【０１０２】
[0134]特許請求の範囲は、上記に示した正確な構成および構成要素に限定されないことを理解されたい。上記の方法および装置の構成、動作および詳細において、特許請求の範囲から逸脱することなく、様々な改変、変更および変形を行うことができる。
以下に、本願出願の当初の特許請求の範囲に記載された発明を付記する。
［Ｃ１］  ワイヤレス通信のための装置であって、
第１のタイプのデバイスおよび第２のタイプのデバイスによって復号可能な第１のプリアンブルと、前記第２のタイプのデバイスによって復号可能だが、前記第１のタイプのデバイスによって復号可能でない第２のプリアンブルと、データとを備えるパケットを生成するように構成された処理システムと、
前記パケットを送信するように構成された送信機と、ここにおいて、前記第１のプリアンブルは第１のチャネル帯域幅を使って送信され、前記第２のプリアンブルおよびデータは、前記第１のチャネル帯域幅の一部分のみを使って送信される、を備える装置。
［Ｃ２］  前記第２のプリアンブルは、第１のフォーマットの前記第１のプリアンブルと比較して、より大きいチャネル遅延拡散をサポートすることができる第２のフォーマットのものである、Ｃ１に記載の装置。
［Ｃ３］  前記第１のプリアンブルは第１のフォーマットのものであり、
前記第２のプリアンブルは、第２のチャネル帯域幅での送信に関連付けられた第２のフォーマットのものであり、ここにおいて、前記第１のチャネル帯域幅の前記一部分は前記第２のチャネル帯域幅よりも大きい、
前記送信機は、前記第２のプリアンブルとデータとをアップクロック方式で送信するようにさらに構成される、Ｃ１に記載の装置。
［Ｃ４］  前記第１のチャネル帯域幅の前記一部分は前記第２のチャネル帯域幅の倍数である、Ｃ３に記載の装置。
［Ｃ５］  前記処理システムは、前記第２のプリアンブルとデータとを送信するのに使うための、前記第１のチャネル帯域幅内の少なくとも１つのオフセット位置を決定するようにさらに構成される、Ｃ１に記載の装置。
［Ｃ６］  前記決定することは、
周波数分割多重方式に基づいて、前記第２のプリアンブルとデータとを第１のタイプのデバイスに送信するための第１のオフセット位置を決定することと、
前記周波数分割多重方式に基づいて、前記第２のプリアンブルとデータとを第２のタイプのデバイスに送信するための第２のオフセット位置を決定することとを備える、Ｃ５に記載の装置。
［Ｃ７］  ワイヤレス通信のための装置であって、
第１のタイプのデバイスおよび第２のタイプのデバイスによって復号可能な第１のプリアンブルを備える、第２の装置から送信された第１のパケットを検出し、前記検出に応答して、前記第２のタイプのデバイスによって復号可能だが、前記第１のタイプのデバイスによって復号可能でない第２のプリアンブルと、データとを備える第２のパケットを生成するように構成された処理システムと、
前記第２の装置に前記第２のパケットを送信するように構成された送信機と、ここにおいて、前記第１のプリアンブルは第１のチャネル帯域幅を使って送信され、前記第２のプリアンブルおよびデータは、前記第１のチャネル帯域幅の一部分のみを使って送信される、を備える装置。
［Ｃ８］  前記処理システムは、前記第１のパケットに基づいて、前記第２のパケットの送信を可能にする前記第２の装置によって媒体が予約されている持続時間を決定するように構成される、Ｃ７に記載の装置。
［Ｃ９］  前記第１のパケットは、複数のユーザをターゲットにするマルチユーザ送信を備え、
前記処理システムは、前記装置が、前記ターゲットにされた複数のユーザのうちの１つであると決定するようにさらに構成される、Ｃ８に記載の装置。
［Ｃ１０］  前記第１のプリアンブルは第１のフォーマットのものであり、
前記第２のプリアンブルは、第２のチャネル帯域幅での送信に関連付けられた第２のフォーマットのものであり、ここにおいて、前記第１のチャネル帯域幅の前記一部分は前記第２のチャネル帯域幅よりも大きい、
前記送信機は、前記第２のプリアンブルとデータとをアップクロック方式で送信するようにさらに構成される、Ｃ７に記載の装置。
［Ｃ１１］  前記第１のチャネル帯域幅の前記一部分は前記第２のチャネル帯域幅の倍数である、Ｃ１０に記載の装置。
［Ｃ１２］  前記処理システムは、前記第２のプリアンブルとデータとを送信するのに使うための、前記第１のチャネル帯域幅内のオフセット位置を決定するようにさらに構成される、Ｃ７に記載の装置。
［Ｃ１３］  複数のオフセット位置が、異なるデバイスに割り当てられ、
前記オフセット位置を決定することは、前記装置に割り当てられたオフセット位置を決定することを備える、Ｃ１２に記載の装置。
［Ｃ１４］  ワイヤレス通信のための方法であって、
第１のタイプのデバイスおよび第２のタイプのデバイスによって復号可能な第１のプリアンブルと、前記第２のタイプのデバイスによって復号可能だが、前記第１のタイプのデバイスによって復号可能でない第２のプリアンブルと、データとを備えるパケットを生成することと、
前記パケットを送信することと、ここにおいて、前記第１のプリアンブルは第１のチャネル帯域幅を使って送信され、前記第２のプリアンブルおよびデータは、前記第１のチャネル帯域幅の一部分のみを使って送信される、を備える方法。
［Ｃ１５］  前記第２のプリアンブルは、第１のフォーマットの前記第１のプリアンブルと比較して、より大きいチャネル遅延拡散をサポートすることができる第２のフォーマットのものである、Ｃ１４に記載の方法。
［Ｃ１６］  前記第１のプリアンブルは第１のフォーマットのものであり、
前記第２のプリアンブルは、第２のチャネル帯域幅での送信に関連付けられた第２のフォーマットのものであり、ここにおいて、前記第１のチャネル帯域幅の前記一部分は前記第２のチャネル帯域幅よりも大きい、
前記方法は、前記第２のプリアンブルとデータとをアップクロック方式で送信することをさらに備える、Ｃ１４に記載の方法。
［Ｃ１７］  前記第１のチャネル帯域幅の前記一部分は前記第２のチャネル帯域幅の倍数である、Ｃ１６に記載の方法。
［Ｃ１８］  前記第２のプリアンブルとデータとを送信するのに使うための、前記第１のチャネル帯域幅内の少なくとも１つのオフセット位置を決定することをさらに備える、Ｃ１４に記載の方法。
［Ｃ１９］  前記決定することは、
周波数分割多重方式に基づいて、前記第２のプリアンブルとデータとを第１のタイプのデバイスに送信するための第１のオフセット位置を決定することと、
前記周波数分割多重方式に基づいて、前記第２のプリアンブルとデータとを第２のタイプのデバイスに送信するための第２のオフセット位置を決定することとを備える、Ｃ１８に記載の方法。
［Ｃ２０］  ワイヤレス通信のための方法であって、
第１のタイプのデバイスおよび第２のタイプのデバイスによって復号可能な第１のプリアンブルを備える、第２の装置から送信された第１のパケットを、第１の装置によって検出することと、
前記検出に応答して、前記第２のタイプのデバイスによって復号可能だが、前記第１のタイプのデバイスによって復号可能でない第２のプリアンブルと、データとを備える第２のパケットを生成することと、
前記第２の装置に前記第２のパケットを送信することと、ここにおいて、前記第１のプリアンブルは第１のチャネル帯域幅を使って送信され、前記第２のプリアンブルおよびデータは、前記第１のチャネル帯域幅の一部分のみを使って送信される、を備える方法。
［Ｃ２１］  前記第１のパケットに基づいて、前記第２のパケットの送信を可能にする前記第２の装置によって媒体が予約されている持続時間を決定することをさらに備える、Ｃ２０に記載の方法。
［Ｃ２２］  前記第１のパケットは、複数のユーザをターゲットにするマルチユーザ送信を備え、
前記第１の装置が、前記ターゲットにされた複数のユーザのうちの１つであると決定することをさらに備える、Ｃ２１に記載の方法。
［Ｃ２３］  前記第１のプリアンブルは第１のフォーマットのものであり、
前記第２のプリアンブルは、第２のチャネル帯域幅での送信に関連付けられた第２のフォーマットのものであり、ここにおいて、前記第１のチャネル帯域幅の前記一部分は前記第２のチャネル帯域幅よりも大きい、
前記第２のプリアンブルとデータとをアップクロック方式で送信することをさらに備える、Ｃ２０に記載の方法。
［Ｃ２４］  前記第１のチャネル帯域幅の前記一部分は前記第２のチャネル帯域幅の倍数である、Ｃ２３に記載の方法。
［Ｃ２５］  前記第２のプリアンブルとデータとを送信するのに使うための、前記第１のチャネル帯域幅内のオフセット位置を決定することをさらに備える、Ｃ２０に記載の方法。
［Ｃ２６］  複数のオフセット位置が、異なるデバイスに割り当てられ、
前記オフセット位置を決定することは、前記第１の装置に割り当てられたオフセット位置を決定することを備える、Ｃ２５に記載の方法。
【手続補正書】
【提出日】平成27年9月28日(2015.9.28)
【手続補正１】
【補正対象書類名】特許請求の範囲
【補正対象項目名】全文
【補正方法】変更
【補正の内容】
【特許請求の範囲】
【請求項１】
ワイヤレス通信における範囲および遅延拡散の拡張のための装置であって、
第１のタイプのデバイスおよび第２のタイプのデバイスによって復号可能な第１のプリアンブルと、前記第２のタイプのデバイスによって復号可能だが、前記第１のタイプのデバイスによって復号可能でない第２のプリアンブルと、データとを備えるパケットを生成するように構成された処理システムと、
前記パケットを送信するように構成された送信機と、ここにおいて、前記第１のプリアンブルは第１のチャネル帯域幅を使って送信され、前記第２のプリアンブルおよびデータは、前記第１のチャネル帯域幅の一部分のみを使って送信され、前記第１のプリアンブルには前記第２のプリアンブルが付加される、を備える装置。
【請求項２】
前記第２のプリアンブルは、第１のフォーマットの前記第１のプリアンブルと比較して、より大きいチャネル遅延拡散をサポートすることができる第２のフォーマットのものである、請求項１に記載の装置。
【請求項３】
前記第１のプリアンブルは第１のフォーマットのものであり、
前記第２のプリアンブルは、第２のチャネル帯域幅での送信に関連付けられた第２のフォーマットのものであり、ここにおいて、前記第１のチャネル帯域幅の前記一部分は前記第２のチャネル帯域幅よりも大きい、
前記送信機は、前記第２のチャネル帯域幅よりも大きいチャネル帯域幅を使って前記第２のプリアンブルとデータとをアップクロック方式で送信するようにさらに構成される、請求項１に記載の装置。
【請求項４】
前記第１のチャネル帯域幅の前記一部分は前記第２のチャネル帯域幅の倍数である、請求項３に記載の装置。
【請求項５】
前記処理システムは、前記第２のプリアンブルとデータとを送信するのに使うための、前記第１のチャネル帯域幅内の少なくとも１つの周波数オフセット位置を決定するようにさらに構成される、請求項１に記載の装置。
【請求項６】
前記決定することは、
周波数分割多重方式に基づいて、前記第２のプリアンブルとデータとを第１のタイプのデバイスに送信するための第１の周波数オフセット位置を決定することと、
前記周波数分割多重方式に基づいて、前記第２のプリアンブルとデータとを第２のタイプのデバイスに送信するための第２の周波数オフセット位置を決定することとを備える、請求項５に記載の装置。
【請求項７】
ワイヤレス通信における範囲および遅延拡散の拡張のための装置であって、
第１のタイプのデバイスおよび第２のタイプのデバイスによって復号可能な第１のプリアンブルを備える、第２の装置から送信された第１のパケットを検出し、前記検出に応答して、前記第２のタイプのデバイスによって復号可能だが、前記第１のタイプのデバイスによって復号可能でない第２のプリアンブルと、データとを備える第２のパケットを生成するように構成された処理システムと、
前記第２の装置に前記第２のパケットを送信するように構成された送信機と、ここにおいて、前記第１のプリアンブルは第１のチャネル帯域幅を使って送信され、前記第２のプリアンブルおよびデータは、前記第１のチャネル帯域幅の一部分のみを使って送信され、前記第１のプリアンブルには前記第２のプリアンブルが付加される、を備える装置。
【請求項８】
前記処理システムは、前記第１のパケットに基づいて、前記第２のパケットの送信を可能にする前記第２の装置によって媒体が予約されている持続時間を決定するように構成される、請求項７に記載の装置。
【請求項９】
前記第１のパケットは、複数のユーザをターゲットにするマルチユーザ送信を備え、
前記処理システムは、前記装置が、前記ターゲットにされた複数のユーザのうちの１つであると決定するようにさらに構成される、請求項８に記載の装置。
【請求項１０】
前記第１のプリアンブルは第１のフォーマットのものであり、
前記第２のプリアンブルは、第２のチャネル帯域幅での送信に関連付けられた第２のフォーマットのものであり、ここにおいて、前記第１のチャネル帯域幅の前記一部分は前記第２のチャネル帯域幅よりも大きい、
前記送信機は、前記第２のチャネル帯域幅よりも大きいチャネル帯域幅を使って前記第２のプリアンブルとデータとをアップクロック方式で送信するようにさらに構成される、請求項７に記載の装置。
【請求項１１】
前記第１のチャネル帯域幅の前記一部分は前記第２のチャネル帯域幅の倍数である、請求項１０に記載の装置。
【請求項１２】
前記処理システムは、前記第２のプリアンブルとデータとを送信するのに使うための、前記第１のチャネル帯域幅内の周波数オフセット位置を決定するようにさらに構成される、請求項７に記載の装置。
【請求項１３】
複数の周波数オフセット位置が、異なるデバイスに割り当てられ、
前記周波数オフセット位置を決定することは、前記装置に割り当てられた周波数オフセット位置を決定することを備える、請求項１２に記載の装置。
【請求項１４】
ワイヤレス通信における範囲および遅延拡散の拡張のための方法であって、
第１のタイプのデバイスおよび第２のタイプのデバイスによって復号可能な第１のプリアンブルと、前記第２のタイプのデバイスによって復号可能だが、前記第１のタイプのデバイスによって復号可能でない第２のプリアンブルと、データとを備えるパケットを生成することと、
前記パケットを送信することと、ここにおいて、前記第１のプリアンブルは第１のチャネル帯域幅を使って送信され、前記第２のプリアンブルおよびデータは、前記第１のチャネル帯域幅の一部分のみを使って送信され、前記第１のプリアンブルには前記第２のプリアンブルが付加される、を備える方法。
【請求項１５】
前記第２のプリアンブルは、第１のフォーマットの前記第１のプリアンブルと比較して、より大きいチャネル遅延拡散をサポートすることができる第２のフォーマットのものである、請求項１４に記載の方法。
【請求項１６】
前記第１のプリアンブルは第１のフォーマットのものであり、
前記第２のプリアンブルは、第２のチャネル帯域幅での送信に関連付けられた第２のフォーマットのものであり、ここにおいて、前記第１のチャネル帯域幅の前記一部分は前記第２のチャネル帯域幅よりも大きい、
前記方法は、前記第２のチャネル帯域幅よりも大きいチャネル帯域幅を使って前記第２のプリアンブルとデータとをアップクロック方式で送信することをさらに備える、請求項１４に記載の方法。
【請求項１７】
前記第１のチャネル帯域幅の前記一部分は前記第２のチャネル帯域幅の倍数である、請求項１６に記載の方法。
【請求項１８】
前記第２のプリアンブルとデータとを送信するのに使うための、前記第１のチャネル帯域幅内の少なくとも１つの周波数オフセット位置を決定することをさらに備える、請求項１４に記載の方法。
【請求項１９】
前記決定することは、
周波数分割多重方式に基づいて、前記第２のプリアンブルとデータとを第１のタイプのデバイスに送信するための第１の周波数オフセット位置を決定することと、
前記周波数分割多重方式に基づいて、前記第２のプリアンブルとデータとを第２のタイプのデバイスに送信するための第２の周波数オフセット位置を決定することとを備える、請求項１８に記載の方法。
【請求項２０】
ワイヤレス通信における範囲および遅延拡散の拡張のための方法であって、
第１のタイプのデバイスおよび第２のタイプのデバイスによって復号可能な第１のプリアンブルを備える、第２の装置から送信された第１のパケットを、第１の装置によって検出することと、
前記検出に応答して、前記第２のタイプのデバイスによって復号可能だが、前記第１のタイプのデバイスによって復号可能でない第２のプリアンブルと、データとを備える第２のパケットを生成することと、
前記第２の装置に前記第２のパケットを送信することと、ここにおいて、前記第１のプリアンブルは第１のチャネル帯域幅を使って送信され、前記第２のプリアンブルおよびデータは、前記第１のチャネル帯域幅の一部分のみを使って送信され、前記第１のプリアンブルには前記第２のプリアンブルが付加される、を備える方法。
【請求項２１】
前記第１のパケットに基づいて、前記第２のパケットの送信を可能にする前記第２の装置によって媒体が予約されている持続時間を決定することをさらに備える、請求項２０に記載の方法。
【請求項２２】
前記第１のパケットは、複数のユーザをターゲットにするマルチユーザ送信を備え、
前記第１の装置が、前記ターゲットにされた複数のユーザのうちの１つであると決定することをさらに備える、請求項２１に記載の方法。
【請求項２３】
前記第１のプリアンブルは第１のフォーマットのものであり、
前記第２のプリアンブルは、第２のチャネル帯域幅での送信に関連付けられた第２のフォーマットのものであり、ここにおいて、前記第１のチャネル帯域幅の前記一部分は前記第２のチャネル帯域幅よりも大きい、
前記第２のチャネル帯域幅よりも大きいチャネル帯域幅を使って前記第２のプリアンブルとデータとをアップクロック方式で送信することをさらに備える、請求項２０に記載の方法。
【請求項２４】
前記第１のチャネル帯域幅の前記一部分は前記第２のチャネル帯域幅の倍数である、請求項２３に記載の方法。
【請求項２５】
前記第２のプリアンブルとデータとを送信するのに使うための、前記第１のチャネル帯域幅内の周波数オフセット位置を決定することをさらに備える、請求項２０に記載の方法。
【請求項２６】
複数の周波数オフセット位置が、異なるデバイスに割り当てられ、
前記周波数オフセット位置を決定することは、前記第１の装置に割り当てられた周波数オフセット位置を決定することを備える、請求項２５に記載の方法。
【請求項２７】
実行されたとき、装置に請求項１４−２６の任意の前記方法を実行させる命令を備えるコンピュータ可読媒体を備える、ワイヤレス通信における範囲および遅延拡散の拡張のためのコンピュータプログラム製品。
【国際調査報告】
2016509808.tif 000039
2016509808.tif 000040
2016509808.tif 000041